(57)【要約】  本発明は、クラウドセル環境における制御情報をシグナリングし、処理する方法及びシステムを提供する。一実施形態によれば、クラウドセルにおいて、マスター基地局（ＢＳ）がスケジューリングインターバルの間上記クラウドセル内の移動局と１つまたは全てのＢＳの間の通信リンク上の利用のために使用可能なリソースを決定するように他のＢＳを調整する。上記使用可能なリソースに基づいて、マスターＢＳは上記スケジューリングインターバルの間上記移動局に上記ＢＳと関連した累積リソースを割り当てる。その後、マスターＢＳは上記マスターＢＳと移動局との間の通信リンクを通じて上記移動局に上記割り当てられた累積リソースを表すリソース割当制御情報を転送する。上記リソース割当制御情報の受信時に、上記移動局はそれをデコーディングし、そのデコーディングされたリソース割当制御情報に従って上記スケジューリングインターバルの間各々のＢＳからデータパケットを受信する。
2014531869.tif 000002
【特許請求の範囲】
【請求項１】
少なくとも１つの移動局と複数の基地局とから構成されるクラウドセルにおける制御情報を処理する方法であって、
前記複数の基地局は１つ以上のスレーブ基地局とマスター基地局とから構成され、前記方法は、
前記クラウドセル内の前記複数の基地局のうちの１つ以上の基地局と関連した制御情報のために、前記マスター基地局と前記移動局との間の通信リンクをモニターリングするステップと、
前記通信リンクを通じて前記マスター基地局から前記制御情報を受信するステップであって、前記制御情報は、前記クラウドセル内の前記複数の基地局のうちの１つ以上の基地局と関連した累積リソース割当制御情報を表す、ステップと、
前記受信された累積リソース割当制御情報をデコーディングするステップと、
スケジューリングインターバルの間前記デコーディングされたリソース割当制御情報に従って、前記複数の基地局のうちの１つ以上の基地局から１つ以上のデータパケットを受信し、また前記複数の基地局のうちの１つ以上の基地局に１つ以上のデータパケットを送信するステップと、
を含むことを特徴とする、方法。
【請求項２】
前記リソース割当制御情報は、前記スケジューリングインターバルの間前記移動局と前記複数の基地局のうちの１つ以上の基地局の間の各通信リンクに前記移動局に割り当てられるダウンリンクリソース及びアップリンクリソースのうちの少なくとも１つを含むことを特徴とする、請求項１に記載の方法。
【請求項３】
前記１つ以上の基地局と関連したダウンリンクリソースは、前記移動局内の受信チェーン（receive chain）の個数に基づいて前記移動局に割り当てられることを特徴とする、請求項２に記載の方法。
【請求項４】
前記１つ以上の基地局と関連したダウンリンクリソースは、前記スケジューリングインターバルで前記移動局に割り当てられ、ダウンリンクリソースが前記移動局に割り当てられる対応する基地局の最大個数は前記移動局内の受信チェーンの個数であることを特徴とする、請求項３に記載の方法。
【請求項５】
前記１つ以上の基地局と関連したダウンリンクリソースは、前記スケジューリングインターバルのデータ部分内で時間マルチプレキシングされた方式（time multiplexed manner）により前記移動局に割り当てられ、ダウンリンクリソースが前記データ部分のタイムスロット（time slot）で前記移動局に割り当てられる対応する基地局の最大個数は、前記移動局内の受信チェーンの個数であることを特徴とする、請求項３に記載の方法。
【請求項６】
前記デコーディングされたリソース割当制御情報に従って、前記複数の基地局のうちの１つ以上の基地局から１つ以上のデータパケットを受信し、また前記複数の基地局のうちの１つ以上の基地局に１つ以上のデータパケットを送信するステップは、前記移動局内の単一の受信チェーンを使用して前記デコーディングされたリソース割当制御情報に従って前記１つ以上の基地局の各々から１つ以上のデータパケットを受信するステップを含むことを特徴とする、請求項３に記載の方法。
【請求項７】
前記デコーディングされたリソース割当制御情報に従って、前記複数の基地局のうちの１つ以上の基地局から１つ以上のデータパケットを受信し、また前記複数の基地局のうちの１つ以上の基地局に１つ以上のデータパケットを送信するステップは、前記スケジューリングインターバルの間前記移動局の複数の受信チェーンを使用して前記デコーディングされたリソース割当制御情報に従って、前記１つ以上の基地局から１つ以上のデータパケットを受信するステップを含むことを特徴とする、請求項３に記載の方法。
【請求項８】
前記通信リンクを通じて前記マスター基地局から前記制御情報を受信するステップは、前記移動局の第１受信チェーンを使用して前記通信リンクを通じて前記マスター基地局から前記制御情報を受信するステップを含むことを特徴とする、請求項３に記載の方法。
【請求項９】
前記スケジューリングインターバルの間前記デコーディングされたリソース割当制御情報に従って、前記複数の基地局のうちの１つ以上の基地局から１つ以上のデータパケットを受信し、また前記複数の基地局のうちの１つ以上の基地局に１つ以上のデータパケットを送信するステップは、前記スケジューリングインターバルの間前記移動局の前記第１受信チェーンを使用して前記デコーディングされたリソース割当制御情報に従って前記マスター基地局から１つ以上のデータパケットを受信するステップと、前記スケジューリングインターバルの間前記移動局の１つ以上の残りの受信チェーンを使用して前記デコーディングされたリソース割当制御情報に従って１つ以上のスレーブ基地局から１つ以上のデータパケットを受信するステップとを含むことを特徴とする、請求項８に記載の方法。
【請求項１０】
少なくとも１つの移動局と複数の基地局とから構成されるクラウドセルで制御情報をシグナリングする方法であって、
前記複数の基地局は１つ以上のスレーブ基地局とマスター基地局とから構成され、前記方法は、
スケジューリングインターバルの間前記移動局との通信のために使われる、前記複数の基地局のうちの１つ以上の基地局を決定するステップと、
前記スケジューリングインターバルの間前記移動局への割当のために使用可能な前記１つ以上の基地局の各々と関連したリソースを決定するステップと、
前記１つ以上の基地局の各々と関連した使用可能なリソースから前記スケジューリングインターバルの間前記移動局にリソースを割り当てるステップと、
前記マスター基地局と前記移動局との間の通信リンクを通じて前記移動局に制御情報を転送するステップであって、前記制御情報は、前記スケジューリングインターバルの間前記１つ以上の基地局と関連した累積リソースを表す、ステップと、
を含むことを特徴とする、方法。
【請求項１１】
前記スケジューリングインターバルの間前記移動局への割当のために使用可能な前記１つ以上の基地局の各々と関連したリソースを決定するステップは、毎スケジューリングインターバルの間利用のために使用可能な前記マスター基地局と関連したリソースを決定するステップと、毎スケジューリングインターバルの開始の前に、前記スレーブ基地局の各々から各通信リンク上の利用のために使用可能な各リソースに対する情報を周期的に受信するステップとを含むことを特徴とする、請求項１０に記載の方法。
【請求項１２】
前記スケジューリングインターバルの間前記移動局への割当のために使用可能な前記１つ以上の基地局の各々と関連したリソースを決定するステップは、毎スケジューリングインターバルの間利用のために使用可能な前記マスター基地局と関連したリソースを決定するステップと、毎スケジューリングインターバルの開始の前に、前記スレーブ基地局の各々と関連した一連のリソースから使用可能なリソースを決定するステップとを含むことを特徴とする、請求項１０に記載の方法。
【請求項１３】
前記スケジューリングインターバルの間前記移動局への割当のために使用可能な前記１つ以上の基地局の各々と関連したリソースを決定するステップは、前記各スレーブ基地局のうちの少なくとも１つと関連したリソースが修正された場合、前記スレーブ基地局の各々から各通信リンク上の利用のために使用可能なリソースに対する情報を受信するステップを含むことを特徴とする、請求項１０に記載の方法。
【請求項１４】
前記スケジューリングインターバルの間前記移動局への割当のために使用可能な前記１つ以上の基地局の各々と関連したリソースを決定するステップは、前記スレーブ基地局から各リソース割当制御情報を受信するステップであって、前記各リソース割当制御情報は、前記スケジューリングインターバルの間前記移動局に前記各スレーブ基地局により割り当てられるリソースに対する情報を含む、ステップと、前記スケジューリングインターバルの間前記マスター基地局により前記移動局にリソースを割り当てるステップと、前記スレーブ基地局及び前記マスター基地局により前記移動局に割り当てられるリソースに基づいて累積リソース割当制御情報を形成するステップとを含むことを特徴とする、請求項１０に記載の方法。
【請求項１５】
少なくとも１つの移動局と複数の基地局とから構成されるクラウドセルにおける制御情報を処理する移動局であって、前記複数の基地局は１つ以上のスレーブ基地局とマスター基地局とから構成され、前記移動局は請求項１乃至９のうちのいずれか１つに記載された方法により具現されることを特徴とする、移動局。
【請求項１６】
少なくとも１つの移動局と複数の基地局とから構成されるクラウドセルにおける制御情報をシグナリングする基地局であって、前記複数の基地局は１つ以上のスレーブ基地局とマスター基地局とから構成され、前記基地局は請求項１０乃至１４のうちのいずれか１つに記載された方法により具現されることを特徴とする、基地局。
【発明の詳細な説明】
【技術分野】
【０００１】
本発明は、単一の移動局をサービングする複数の基地局を有する移動広帯域システムの分野に関し、より詳しくは、移動広帯域ネットワーク環境における制御情報をシグナリングし、処理する方法及びシステムに関する。
【背景技術】
【０００２】
ＭＭＢ（Millimetre-Wave Mobile Broadband）システムは、３０ギガヘルツ（ＧＨＺ）及び３００ＧＨｚの無線周波数範囲で作動するミリメートル波（millimetre wave）基盤のシステムである。ＭＭＢシステムは、１ミリメートル（ｍｍ）から１０ｍｍ範囲の波長を有する無線電波を使用し、ｍｍ波帯域で使用可能な相当な量のスペクトルによって、次世代の移動通信技術に対する候補である。
【０００３】
一般に、ＭＭＢシステムにおいて、ＭＭＢ基地局は良好なネットワークカバレッジを確保するために、マクロ−セルラー（macro-cellular）基地局より高密度で配置される。これは、隣接ＭＭＢ基地局から干渉を抑制し、ＭＭＢリンクの範囲を拡張させる狭いビーム（beam）に基づく信号の送信及び受信として可能である。
【０００４】
通常、ＭＭＢネットワークにおいて、複数の基地局は移動局が通信することができる多数のノードを有するグリッド（grid）を形成することによって、移動局の位置と関係のない高品質の同一等級サービス（equal grade of service：ＥＧＯＳ）を保証する。移動局をサービングする複数の基地局を有するグリッドは一般的に仮想セルまたはクラウドセルと称される。クラウドセルにおいて、移動局と通信する複数の基地局はダウンリンク転送ビームフォーミング（beamforming）を行う必要があり、基地局と通信する移動局はダウンリンク制御情報及びデータパケットを受信するためにダウンリンク受信ビームフォーミングを行なう必要がある。同様に、クラウドセルで基地局と通信する移動局はアップリンク転送ビームフォーミングを行なう必要があり、基地局はアップリンクデータを転送するためにアップリンク受信ビームフォーミングを行なう必要がある。
【０００５】
また、クラウドセルにおいて、基地局のうちの１つはマスター基地局の役割をし、残りの基地局はその移動局に対するスレーブ基地局の役割をする。移動局をサービングするクラウドセル内の基地局は移動局の動きに基づいて動的に変わり続ける。したがって、クラウドセルはユーザ中心の仮想セルである。オーバーラッピングクラウドセルシナリオにおいて、基地局は１つより多いクラウドセルの一部でありうる。１つのクラウドセルにおいて、基地局は１つの移動局に対するマスター基地局の役割をすることができ、他のクラウドセルでは、同一な基地局が他の移動局に対するスレーブ基地局の役割をすることができ、またはその基地局が他の移動局に対するマスター基地局の役割をすることができる。
【０００６】
クラウドセル内の１つまたは複数の基地局はダウンリンク（ＤＬ）方向に（即ち、基地局から移動局に）データを移動局に転送することに使用できる。複数の基地局は同一または相異するデータを移動局に転送することができる。同様に、アップリンク方向で、移動局から無線ネットワークへのデータは１つまたは複数の基地局を使用して転送できる。各々のＤＬ及びＵＬでデータを受信または送信するために、移動局はリソース割当情報を伝達する制御情報をデコーディングする必要がある。即ち、リソース割当情報はＤＬ及びＵＬでの実際のデータ転送の前に行なわれる。リソース割当情報は、ＤＬから転送される物理階層パケットをデコーディングし、ＵＬでの転送のために物理階層パケットをエンコーディングするために必要な細部事項を提供する。例えば、ＯＦＤＭＡ（Orthogonal Frequency Division Multiple Access）システムにおいて、リソース割当情報は物理階層パケットがスパニングするサブキャリアとＯＦＤＭシンボル、変調とコーディング方式、電力レベル、ＭＩＭＯパラメータ、ＭＳアドレスなどを含むことができる。
【発明の概要】
【発明が解決しようとする課題】
【０００７】
従来のシステムにおいて、移動局は単一の基地局と通信し、その基地局からリソース割当情報を受信する。リソース割当情報に基づいて、移動局はその基地局とデータを受信及び／又は送信する。しかしながら、クラウドセルでは、移動局がクラウドセル内の複数の基地局から同時に同一または相異するデータを受信／送信しなければならない。したがって、リソース割当情報を移動局にシグナリングする各々の基地局及び複数の基地局から／に対してデータを受信／送信する移動局は、従来の無線通信システムとは異なり、クラウドセル環境で実行不可能であることもある。
【課題を解決するための手段】
【０００８】
本発明の一態様によれば、少なくとも１つの移動局と複数の基地局とから構成されるクラウドセルで制御情報を処理する方法であって、上記複数の基地局は１つ以上のスレーブ基地局とマスター基地局とから構成され、上記方法は、上記クラウドセル内の上記複数の基地局のうちの１つ以上の基地局と関連した制御情報のために、上記マスター基地局と上記移動局との間の通信リンクをモニターリングするステップと、上記通信リンクを通じて上記マスター基地局から上記制御情報を受信するステップであって、上記制御情報は上記クラウドセル内の上記複数の基地局のうちの１つ以上の基地局と関連した累積リソース割当制御情報を表す、ステップと、上記受信された累積リソース割当制御情報をデコーディングするステップと、スケジューリングインターバルの間上記デコーディングされたリソース割当制御情報に従って、上記複数の基地局のうちの１つ以上の基地局から１つ以上のデータパケットを受信し、また上記複数の基地局のうちの１つ以上の基地局に１つ以上のデータパケットを送信するステップとを含む方法が提供される。
【０００９】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる、上記複数の基地局のうちの１つ以上の基地局を決定するステップと、上記スケジューリングインターバルの間上記移動局への割当のために使用可能な上記１つ以上の基地局の各々と関連したリソースを決定するステップと、上記１つ以上の基地局の各々と関連した使用可能なリソースから上記スケジューリングインターバルの間上記移動局にリソースを割り当てるステップと、上記マスター基地局と上記移動局との間の通信リンクを通じて上記移動局に制御情報を転送するステップであって、上記制御情報は、上記スケジューリングインターバルの間上記１つ以上の基地局と関連した累積リソースを表す、ステップとを含む方法が提供される。
【００１０】
本発明の他の態様によれば、少なくとも１つの移動局と複数の基地局とから構成されるクラウドセルで制御情報を処理する方法であって、上記複数の基地局は１つ以上のスレーブ基地局とマスター基地局とから構成され、上記方法は、上記クラウドセル内の上記複数の基地局のうちの１つ以上の基地局と関連した制御情報のために、基地局と上記移動局との間の通信リンクをモニターリングするステップと、上記通信リンクを通じて基地局から上記制御情報を受信するステップであって、上記制御情報は、上記クラウドセル内の上記複数の基地局のうちの１つ以上の基地局と関連した累積リソース割当制御情報を表す、ステップと、上記受信された累積リソース割当制御情報をデコーディングするステップ、及びスケジューリングインターバルの間上記デコーディングされたリソース割当制御情報に従って、上記複数の基地局のうちの１つ以上の基地局から１つ以上のデータパケットを受信し、また上記複数の基地局のうちの１つ以上の基地局に１つ以上のデータパケットを送信するステップとを含む方法が提供される。
【００１１】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる、上記複数の基地局のうちの１つ以上の基地局を決定するステップと、上記スケジューリングインターバルの間上記移動局への割当のために使用可能な上記１つ以上の基地局の各々と関連したリソースを決定するステップ、上記１つ以上の基地局の各々と関連した使用可能なリソースから上記スケジューリングインターバルの間上記移動局にリソースを割り当てるステップと、上記スケジューリングインターバルの間上記移動局に制御情報を転送するために上記複数の基地局から基地局を選択するステップであって、上記制御情報は、上記スケジューリングインターバルの間上記１つ以上の基地局と関連した累積リソースを表す、ステップと、及び上記制御情報を転送するために上記マスター基地局でない基地局が選択される場合、上記選択された基地局に制御情報を転送することによって、上記選択された基地局が上記移動局と上記選択された基地局との間の通信リンクを通じて上記移動局に上記制御情報を転送するようにするステップとを含む方法が提供される。
【００１２】
本発明の他の態様によれば、少なくとも１つの移動局と複数の基地局とから構成されるクラウドセルで制御情報を処理する方法であって、上記複数の基地局は１つ以上のスレーブ基地局とマスター基地局とから構成され、上記方法は、上記クラウドセル内の上記複数の基地局のうちの１つ以上の基地局と関連した制御情報のために上記複数の基地局のうちの１つ以上の基地局と上記移動局との間の各通信リンクをモニターリングするステップと、上記各通信リンクを通じて上記複数の基地局のうちの１つ以上の基地局から上記制御情報を受信するステップであって、上記制御情報は、上記クラウドセル内の上記複数の基地局のうちの１つ以上の基地局と関連した累積リソース割当制御情報を表す、ステップと、上記複数の基地局のうちの少なくとも１つから受信された累積リソース割当制御情報をデコーディングするステップ、及びスケジューリングインターバルの間上記デコーディングされたリソース割当制御情報に従って、上記複数の基地局のうちの１つ以上の基地局から１つ以上のデータパケットを受信し、また上記複数の基地局のうちの１つ以上の基地局に１つ以上のデータパケットを送信するステップとを含む方法が提供される。
【００１３】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる、上記複数の基地局のうちの１つ以上の基地局を決定するステップと、上記スケジューリングインターバルの間上記移動局への割当のために使用可能な上記１つ以上の基地局の各々と関連したリソースを決定するステップと、上記１つ以上の基地局の各々と関連した使用可能なリソースから上記スケジューリングインターバルの間上記移動局にリソースを割り当てるステップと、及び上記１つ以上のスレーブ基地局に制御情報を転送することによって、上記１つ以上の基地局の各々が所定の時間に所定の順序で各通信リンクを通じて上記移動局に制御情報を転送するようにするステップであって、上記制御情報は、上記スケジューリングインターバルの間上記１つ以上の基地局と関連した累積リソースを表す、ステップとを含む方法が提供される。
【００１４】
本発明の他の態様によれば、少なくとも１つの移動局と複数の基地局とから構成されるクラウドセルで制御情報を処理する方法であって、上記複数の基地局は１つ以上のスレーブ基地局とマスター基地局とから構成され、上記方法は、上記クラウドセル内の上記複数の基地局のうちの１つ以上の基地局と関連した制御情報のために上記マスター基地局と上記移動局との間の各通信リンクをモニターリングするステップと、上記各通信リンクを通じて上記マスター基地局から上記制御情報を受信するステップであって、上記制御情報は、上記クラウドセル内の上記複数の基地局のうちの１つ以上の基地局と関連した累積リソース割当制御情報を表す、ステップと、上記マスター基地局から受信された累積リソース割当制御情報をデコーディングするステップと、上記マスター基地局から受信された制御情報が成功的にデコーディングされたか否かを決定するステップと、上記制御情報が成功的にデコーディングされた場合、スケジューリングインターバルの間上記デコーディングされたリソース割当制御情報に従って、上記複数の基地局のうちの１つ以上の基地局から１つ以上のデータパケットを受信し、また上記複数の基地局のうちの１つ以上の基地局に１つ以上のデータパケットを送信するステップと、上記制御情報が成功的にデコーディングできない場合、上記スレーブ基地局が上記スレーブ基地局と上記移動局との間の通信リンクを通じて上記制御情報を転送するようにするために、上記スレーブ基地局のうちの１つにフィードバックメッセージを送信するステップと、上記受信するステップ、上記デコーディングするステップ、上記決定するステップ、及び上記送信するステップを繰り返すステップとを含む方法が提供される。
【００１５】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる上記複数の基地局のうちの１つ以上の基地局を決定するステップと、上記スケジューリングインターバルの間上記移動局への割当のために使用可能な上記１つ以上の基地局の各々と関連したリソースを決定するステップと、上記１つ以上の基地局の各々と関連した使用可能なリソースから上記スケジューリングインターバルの間上記移動局に累積リソースを割り当てるステップ、及び上記移動局が上記１つ以上の基地局のうちの１つから受信された制御情報を成功的にデコーディングするまで、上記１つ以上の基地局の各々が所定の時間で所定の順序で各通信リンクを通じて上記制御情報を転送するように、上記１つ以上のスレーブ基地局に制御情報を転送するステップであって、上記制御情報は、上記スケジューリングインターバルの間上記１つ以上の基地局と関連した上記累積リソースを表す、ステップとを含む方法が提供される。
【００１６】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる上記複数の基地局のうちの１つ以上の基地局を決定するステップと、上記決定に基づいて上記移動局に事前制御情報を転送するステップと、上記１つ以上の基地局と関連した使用可能なリソースから上記スケジューリングインターバルの間上記移動局にリソースを割り当てるステップと、上記事前制御情報に基づいて上記１つ以上の基地局により通信リンクを通じて上記移動局に各制御情報を転送するステップであって、上記制御情報は、上記スケジューリングインターバルの間上記各１つ以上の基地局と関連したリソースを表す、ステップとを含む方法が提供される。
【００１７】
本発明の他の態様によれば、少なくとも１つの移動局と複数の基地局とから構成されるクラウドセルで制御情報をシグナリングする方法であって、上記複数の基地局は１つ以上のスレーブ基地局とマスター基地局とから構成され、上記方法は、スケジューリングインターバルの間上記移動局との通信のために使われる上記複数の基地局のうちの１つ以上の基地局を決定するステップと、上記決定に基づいて上記移動局に事前制御情報を転送するステップと、上記１つ以上の基地局と関連した使用可能なリソースから上記スケジューリングインターバルの間上記移動局にリソースを割り当てるステップと、上記事前制御情報に基づいて上記１つ以上の基地局により通信リンクを通じて上記移動局に各制御情報を転送するステップであって、上記制御情報は、上記スケジューリングインターバルの間上記各１つ以上の基地局と関連したリソースを表す、ステップとを含む方法が提供される。
【００１８】
本発明の他の態様によれば、プロセッサ、上記プロセッサにカップリングされたメモリ、及び上記プロセッサにカップリングされた送受信機を含む移動局であって、上記メモリは、上記複数の基地局のうちの１つ以上の基地局と関連した制御情報のためにクラウドセル内の複数の基地局のうちの１つ以上の基地局と移動局との間の通信リンクをモニターリングし（上記複数の基地局は、スレーブ基地局とマスター基地局とを含み）、上記送受信機を使用して上記通信リンクを通じて上記複数の基地局のうちの１つ以上の基地局から上記制御情報を受信し（上記制御情報は、上記１つ以上の基地局と関連したリソース割当制御情報を含み）、上記受信されたリソース割当制御情報をデコーディングし、また上記デコーディングされたリソース割当制御情報に従ってスケジューリングインターバルの間上記１つ以上の基地局から／基地局に１つ以上のデータパケットを受信及び送信するように構成された制御情報処理モジュールを含む移動局が提供される。
【００１９】
本発明の他の態様によれば、プロセッサ、上記プロセッサにカップリングされたメモリ、及び上記プロセッサにカップリングされた送受信機を含む基地局であって、上記メモリは上記スケジューリングインターバルの間移動局との通信のために使われるクラウドセル内の複数の基地局のうちの１つ以上の基地局を決定し（上記複数の基地局は、１つ以上のスレーブ基地局とマスター基地局とを含み）、上記スケジューリングインターバルの間各通信リンクの上の利用のために使用可能な１つ以上の基地局の各々と関連したリソースを決定し、上記１つ以上の基地局の各々と関連した使用可能なリソースから上記スケジューリングインターバルの間上記移動局に累積リソースを割り当てて、また上記送受信機を使用して上記１つ以上の基地局と関連した累積リソースを表すリソース割当制御情報を転送するように構成された制御情報モジュールを含む基地局が提供される。
【図面の簡単な説明】
【００２０】
【図１】一実施形態に従うクラウドセル環境を示す概略図である。
【図２】一実施形態に従ってクラウドセルでリソース割当制御情報を移動局にシグナリングし、処理する例示的な方法を示すフローチャートである。
【図３】毎スケジューリングインターバルの間の利用のために使用可能な基地局（ＢＳ）と関連したリソースを決定する例示的な方法を示すフローチャートである。
【図４】毎スケジューリングインターバルの間の利用のために使用可能なＢＳと関連したリソースを決定する他の例示的な方法を示すフローチャートである。
【図５】毎スケジューリングインターバルの間の利用のために使用可能なＢＳと関連したリソースを決定する他の例示的な方法を示すフローチャートである。
【図６】移動局が単一の送／受信チェーン（chain）を備え、スケジューリングインターバルが長い場合に、移動局とＢＳとの間の通信リンクに対するリソーススケジューリングを示す概略図である。
【図７】移動局が単一の送／受信チェーンを備え、スケジューリングインターバルが短い場合に、移動局とＢＳとの間の通信リンクに対するリソーススケジューリングを示す概略図である。
【図８】移動局が複数の送／受信チェーンを備え、スケジューリングインターバルが長い場合に、移動局とＢＳとの間の通信リンクに対するリソーススケジューリングを示す概略図である。
【図９】移動局が複数の送／受信チェーンを備え、スケジューリングインターバルが長い場合に、移動局とＢＳとの間の通信リンクに対するリソーススケジューリングを示す概略図である。
【図１０】他の実施形態に従ってリソース割当制御情報を移動局にシグナリングし、処理する例示的な方法を示すフローチャートである。
【図１１ａ】他の実施形態に従ってリソース割当制御情報を移動局にシグナリングし、処理する他の例示的な方法を示すフローチャートである。
【図１１ｂ】一実施形態に従ってリソース割当制御情報を移動局にシグナリングし、処理する他の例示的な方法を示すフローチャートである。
【図１２】更に他の実施形態に従ってリソース割当制御情報を移動局にシグナリングし、処理する例示的な方法を示すフローチャートである。
【図１３】スケジューリングインターバルの間複数のＢＳによりリソース割当制御情報を移動局に転送することを示す概略図である。
【図１４】他の実施形態に従ってリソース割当制御情報を移動局にシグナリングし、処理する例示的な方法を示すフローチャートである。
【図１５】スケジューリングインターバルの間ＢＳによりリソース割当制御情報を移動局に転送することを示す概略図である。
【図１６】更に他の実施形態に従ってリソース割当制御情報を移動局にシグナリングし、処理する例示的な方法を示すフローチャートである。
【図１７】毎有効周期（validity period）の開始の以前に、マスターＢＳからの事前制御情報の通信を示す概略図である。
【図１８】毎有効周期の開始の以前にマスターＢＳから事前制御情報を通信する他の方式を示す概略図である。
【図１９】毎有効周期の開始の以前にマスターＢＳから事前制御情報を通信する他の方式を示す概略図である。
【図２０】毎有効周期の開始の以前にマスターＢＳから事前制御情報を通信する他の方式を示す概略図である。
【図２１】本発明の実施形態を具現するための各種のコンポーネントを示す、図１に示すような移動局のブロック図である。
【図２２】本発明の実施形態を具現するための各種のコンポーネントを示す、図１に示したようなＢＳのブロック図である。
【発明を実施するための形態】
【００２１】
ここに記述した図面は単に例示の目的のためのものであり、どんな方式でも本発明の範囲を限定することが意図されない。
【００２２】
本発明は、クラウドセル環境における制御情報をシグナリングし、処理する方法及びシステムを提供する。本発明の実施形態に対する次の詳細な説明では、本明細書の一部をなす添付図面に対する参照がなされて、ここには本発明が実施できる特定の実施形態の例示が表れされている。この実施形態は当業者が本発明を実施可能であるように十分に詳細に記載されており、本発明の範囲を逸脱することなく、他の実施形態が使われることもでき、変更がなされることもできることが分かる。したがって、次の詳細な説明は限定的な意味として受け入れられてはならず、本発明の範囲は添付した請求項のみにより規定される。
【００２３】
図１は、一実施形態に従うクラウドセル環境１００を示す概略図である。クラウドセル環境１００は、複数のクラウドセル１１０Ａ−Ｎを含む。クラウドセルは、移動局をサービングする複数の基地局で構成されるユーザ中心の仮想セルである。移動局をサービングするクラウドセルは、他の移動局をサービングする他のクラウドセルと同一な基地局を有することができる。また、移動局をサービングするクラウドセルは他の移動局をサービングする他のクラウドセルでの基地局と同一な幾つかの基地局を有することもできる。一方、移動局をサービングするクラウドセルは他の移動局をサービングする他のクラウドセルでの基地局と全て異なる基地局を有することもできる。２つ以上のＢＳからなるクラウドセルは、移動局が無線ネットワークに進入する時に形成される。クラウドセル内の基地局とマスター基地局は移動局の動きに基づいて変わり続ける。基地局がクラウドセルに連結されたり抜け出たりする場合、そのクラウドセルはアップデートされたものと称される。
【００２４】
説明のために、図１には２つのクラウドセル、即ちクラウドセル１１０Ａ及びクラウドセル１１０Ｂが図示されている。クラウドセル１１０Ａは、移動局（ＭＳ）１０４をサービングする複数の基地局（ＢＳ）１０２Ａ乃至１０２Ｃを含む。クラウドセル１１０Ａにおいて、ＢＳ １０２Ａにはマスターの役割が割り当てられ、残りのＢＳ １０２Ｂ及び１０２Ｃは、スレーブＢＳの役割をする。これと類似するように、クラウドセル１１０Ｂは移動局１０６をサービングする複数のＢＳ １０２Ｄ乃至１０２Ｇを含む。クラウドセル１１０Ｂにおいて、ＢＳ １０２ＥはマスターＢＳであり、残りのＢＳ １０２Ｄ、１０２Ｆ、及び１０２ＧはスレーブＢＳの役割をする。各々のクラウドセル１１０Ａ−Ｎにおいて、マスターＢＳはデータゲートウェイ１０８とデータパケットを直接通信することができ、スレーブＢＳはマスターＢＳを通じてデータゲートウェイ１０８と通信する。データゲートウェイ１０８は、ＩＰ（Internet Protocol）ネットワーク１１２に直接連結されるか、または他のネットワークノードを介して連結できる。
【００２５】
一実施形態に従ってクラウドセル１１０Ａでは、マスターＢＳ １０２Ａが他のＢＳ １０２Ｂ及び１０２Ｃを調整することによって、スケジューリングインターバルの間移動局１０４と１つまたは全てのＢＳ １０２Ａ乃至１０２Ｃの間の通信リンクに対する利用のために使用可能なリソースを決定する。使用可能なリソースに基づいて、マスターＢＳ １０２Ａはスケジューリングインターバルの間、各々のＢＳ １０２Ａ乃至１０２Ｃと関連した累積リソース（cumulative resource）を移動局１０４に割り当てる。その後、マスターＢＳ １０２ＡはマスターＢＳ １０２Ａと移動局１０４との間の通信リンクを通じて上記割り当てられた累積リソースを表すリソース割当制御情報を移動局１０４に転送する。リソース割当制御情報は、ダウンリンク方向に転送される物理階層パケットをデコーディングする必要がある細部事項を提供する、及び／または、アップリンク方向に転送のために物理階層パケットをエンコーディングする必要がある細部事項を提供する。リソース割当制御情報の受信時に、移動局１０４は同一なものをデコーディングし、そのデコーディングされたリソース割当制御情報によって、スケジューリングインターバルの間各々のＢＳ １０２Ａ乃至１０２Ｃからデータパケットを受信する。このような方式により、毎スケジューリングインターバルの間１つ以上の基地局からのリソースに対する制御情報がクラウドセル内の移動局に提供される。次の図２乃至図２２の説明では、この実施形態及び他の実施形態がより詳細に記述されている。
【００２６】
図２は、一実施形態に従ってリソース割当制御情報を移動局１０４にシグナリングし、処理する例示的な方法を示すフローチャート２００である。毎スケジューリングインターバルの以前に、ステップ２０２で、マスターＢＳ １０２Ａはクラウドセル１１０Ａ内の基地局のうちのどれがスケジューリングインターバルの間移動局１０４との通信のために使われるかを決定する。スレーブＢＳ １０２Ｂ及び１０２Ｃのうちのいずれも特定のスケジューリングインターバルの間移動局１０４との通信のために使われないものとマスターＢＳ １０２Ａが決定することが可能である。また、スレーブＢＳ １０２Ｂ及び１０２Ｃのみが異なるスケジューリングインターバルの間移動局１０４との通信のために使用できるものとマスターＢＳ １０２Ａが決定することが可能である。説明のために、ステップ２０２で、クラウドセル内の全てのＢＳ １０２Ａ乃至１０２Ｃがスケジューリングインターバルの間の通信のために使われるとマスターＢＳ １０２Ａが決定することを考慮する。
【００２７】
ステップ２０４で、マスターＢＳ １０２Ａは自身と関連したリソース、スケジューリングインターバルの間移動局１０４とＢＳ １０２Ａ乃至１０２Ｃとの間の各通信リンクに対する利用のために使用可能なスレーブＢＳ １０２Ｂ及び１０２Ｃを決定する。また、一実施形態において、マスターＢＳ １０２ＡはスレーブＢＳ １０２Ｂ及び１０２Ｃを調整してそのスレーブＢＳ １０２Ｂ及び１０２Ｃに亘って使用可能なリソースを決定する。他の実施形態において、マスターＢＳ １０２ＡはスレーブＢＳ １０２Ｂ及び１０２Ｃから各通信リンクで使われる各々のリソースを表すリソース割当制御情報を受信することができる。マスターＢＳ １０２Ａは、スレーブＢＳ １０２Ｂ及び１０２Ｃから受信されたリソース割当制御情報を組み合わせ、その組み合わせられたリソース割当制御情報を移動局１０４に転送する。図３乃至図５には移動局１０４とＢＳ １０２Ａ乃至１０２Ｃとの間の通信リンクに対する利用のために使用可能なリソースを決定する例示的な方法が図示されている。
【００２８】
ステップ２０６で、マスターＢＳ １０２Ａは、マスターＢＳ １０２Ａ、スレーブＢＳ １０２Ｂ、及びスレーブＢＳ １０２Ｃと関連した使用可能なリソースからスケジューリングインターバルの間、累積リソースを移動局１０４に割り当てる。例えば、累積リソースは移動局１０４とＢＳ １０２Ａ乃至１０２Ｃとの間の各通信リンクに対する利用のために割り当てられる、ＢＳ １０２Ａ乃至１０２Ｃからのダウンリンクリソース及び／又はアップリンクリソースを含むことができる。マスターＢＳ １０２Ａは、移動局１０４での転送チェーン（transmit chain）の個数に基づいて、ＢＳ １０２Ａ乃至１０２Ｃからのアップリンクリソースを移動局１０４に割り当てることができる。これと類似するように、マスターＢＳ １０２Ａは移動局１０４での受信チェーン（receive chain）の個数に基づいて、ＢＳ １０２Ａ乃至１０２Ｃからのダウンリンクリソースを移動局１０４に割り当てることができる。例えば、移動局１０４が単一の受信チェーンを有する場合には、マスターＢＳ １０２Ａは一度に各ＢＳから、またはスケジューリングインターバル内で時間マルチプレキシングされた方式により複数のＢＳ １０２Ａ乃至１０２Ｃから、ダウンリンクリソースを割り当てる。これとは異なり、移動局１０４が複数の受信チェーンを有する場合、マスターＢＳ １０２Ａは一度に複数のＢＳから、または時間マルチプレキシングされた方式によりダウンリンクリソースを割り当てることができ、ここで一度にスケジューリングされるＢＳの個数は移動局１０４での受信チェーンの個数の以下である。
【００２９】
ステップ２０８で、移動局１０４はリソース割当制御情報のためにマスターＢＳ １０２Ａと移動局１０４との間の通信リンクをモニターリングする。幾つかの実施形態において、リソース割当制御情報はダウンリンク及びアップリンク転送のために移動局１０４に割り当てられたＢＳ １０２Ａ乃至１０２Ｃからの累積リソースを含む。移動局１０４は、移動局１０４とＢＳ １０２Ａ乃至１０２Ｃとの間のダウンリンク及び／又はアップリンクにおいて、同一データが転送されるか、または相異するデータが転送されるかに関わらず、マスターＢＳ １０２Ａからの制御情報をモニターリングできることが分かる。ステップ２１０で、マスターＢＳ １０２Ａは通信リンクを通じてリソース割当制御情報を移動局１０４に転送する。また、マスターＢＳ １０２ＡがＢＳ １０２Ａ乃至１０２Ｃからの累積リソースを移動局１０４に割り当てた場合、ステップ２１で、マスターＢＳ １０２Ａはリソース割当情報をスレーブＢＳ １０２Ｂ及び１０２Ｃに送信する。ステップ２１２で、移動局１０４は受信された累積リソース割当制御情報をデコーディングする。ステップ２１４で、移動局１０４と基地局１０２Ａ乃至１０２Ｃは、デコーディングされたリソース割当制御情報によって、スケジューリングインターバルの間ＢＳ １０２Ａ乃至１０２Ｃに／からデータパケットを送信／受信する。移動局１０４が単一の受信チェーンを有する場合、移動局１０４はその単一の受信チェーンを使用して、デコーディングされたリソース割当制御情報に従って各々のＢＳ １０２Ａ乃至１０２Ｃからデータパケットを受信する。これとは異なり、移動局１０４が複数の受信チェーンを有する場合、移動局１０４はその複数の受信チェーンを使用して、デコーディングされたリソース割当制御情報によってＢＳ １０２Ａ乃至１０２Ｃからデータパケットを受信する。幾つかの実施形態において、移動局１０４が複数の受信チェーンを有する場合、移動局１０４はマスターＢＳ １０２Ａから制御情報及び／又はデータパケットを受信するための専用受信チェーン及びスレーブＢＳ １０２Ｂ及び１０２Ｃからデータパケットを受信するための残りの受信チェーンを使用することができる。
【００３０】
図３は、毎スケジューリングインターバルの間の利用のために使用することができるＢＳ １０２Ａ乃至１０２Ｃと関連したリソースを決定する例示的な方法を示すフローチャート３００である。幾つかの実施形態において、マスターＢＳ １０２ＡはスレーブＢＳ １０２Ｂ及び１０２Ｃから各々のリソースに対する情報を受信する。この実施形態において、各々のスレーブＢＳ １０２Ｂ及び１０２Ｃは、マスターＢＳ １０２Ａに対して全体リソース割当情報を周期的に共有し、リソース情報の変更が存在する場合には部分的なリソース割当情報を共有する。スレーブＢＳ １０２Ｂ及び１０２Ｃは、毎スケジューリングインターバルの以前に全体またはデルタリソース割当情報を共有する。
【００３１】
ステップ３０２で、マスターＢＳ １０２Ａは各々のスレーブＢＳ １０２Ａ及び１０２Ｂに対して周期的なデルタリソース割当情報を共有するための要請を転送する。ステップ３０４で、スレーブＢＳ １０２Ｂ及び１０２Ｃは全体リソース割当情報をマスターＢＳ １０２Ａと共有する。ステップ３０６で、マスターＢＳ １０２Ａは第１スケジューリングインターバルの間スレーブＢＳ １０２Ｂ及び１０２Ｃから受信された全体リソース割当情報を使用して、累積リソースを移動局１０４に割り当てる。
【００３２】
ステップ３０８で、スレーブＢＳ １０２Ｂ及び１０２Ｃは各々の周期的デルタリソース割当情報をマスターＢＳ １０２Ａに送信する。周期的なデルタリソース割当情報は、全体リソース割当情報を送信時に割り当てられた／供給されたリソースと関連した情報を含むことができる。ステップ３１０で、マスターＢＳ １０２Ａは第２スケジューリングインターバルの間スレーブＢＳ １０２Ｂ及び１０２Ｃから受信された全体リソース割当情報及び周期的デルタリソース割当情報を使用して累積リソースを移動局１０４に割り当てる。スレーブＢＳ １０２Ｂ及び１０２Ｃは、周期的な全体リソース割当情報が共有される時点まで各々の周期的デルタリソース割当情報を共有する。
【００３３】
ステップ３１２で、スレーブＢＳ １０２Ｂ及び１０２Ｃは周期的全体リソース割当情報をマスターＢＳ １０２Ａと共有する。ステップ３１４で、マスターＢＳ １０２Ａは第３スケジューリングインターバルの間スレーブＢＳ １０２Ｂ及び１０２Ｃから受信された全体リソース割当情報を使用して累積リソースを移動局１０４に割り当てる。その後、処理ステップ３０６から３１４が反復される。
【００３４】
図４は、毎スケジューリングインターバルの間の利用のために使用可能なＢＳ １０２Ａ乃至１０２Ｃと関連したリソースを決定する他の例示的な方法を示すフローチャート４００である。ステップ４０２で、マスターＢＳ １０２Ａは周期的な全体リソース割当情報を共有するための要請を各々のスレーブＢＳ １０２Ｂ及び１０２Ｃに送信する。ステップ４０４で、スレーブＢＳ １０２Ｂ及び１０２Ｃは全体リソース割当情報をマスターＢＳ １０２Ａと共有する。ステップ４０６で、マスターＢＳ １０２Ａは第１スケジューリングインターバルの間スレーブＢＳ １０２Ｂ及び１０２Ｃから受信された全体リソース割当情報を使用して累積リソースを移動局１０４に割り当てる。スレーブＢＳ １０２Ｂ及び１０２Ｃは、毎スケジューリングインターバルの以前に、続けてマスターＢＳに対して全体リソース割当情報を共有する。
【００３５】
スレーブＢＳ １０２Ｃが他のクラウドセルに連結されて、そのクラウドセル内の移動局と自身のリソースの一部を共有することを考慮する。このようなケースでは、ステップ４０８で、スレーブＢＳ １０２Ｂ及び１０２Ｃが周期的な全体リソース割当情報をマスターＢＳ １０２Ａと共有する。ステップ４１０で、マスターＢＳ １０２ＡはスレーブＢＳ １０２Ｂ及び１０２Ｃにより共有される、アップデートされた全体リソース割当情報に基づいて累積リソースを移動局１０４に割り当てる。
【００３６】
図５は、毎スケジューリングインターバルの間の利用のために使用可能なＢＳ １０２Ａ乃至１０２Ｃと関連したリソースを決定する更に他の例示的な方法を示すフローチャート５００である。幾つかの実施形態において、スレーブＢＳ １０２Ｂ及び１０２Ｃは一部または全体リソースに対するアクセスをマスターＢＳ １０２Ａに提供することができる。各々のＢＳ １０２Ｂ及び１０２Ｃがクラウドセル１１０Ａの単独部材の場合、スレーブＢＳ １０２Ｂ及び１０２ＣはマスターＢＳ １０２Ａに対する制御を提供して全体リソースを管理することができる。これとは異なり、スレーブＢＳ １０２Ｂ及び１０２Ｃが２つ以上のクラウドセル１１０Ａ−Ｎの部材であり、各々のスレーブＢＳ １０２Ｂ及び１０２ＣがマスターＢＳ １０２Ａに対する制御を提供して部分的なリソースを管理する。スレーブＢＳ １０２Ｂ及び１０２Ｃは、リソース割当アップデートメッセージを通じてリソースのうちのどれが管理されるかをマスターＢＳ １０２Ａに通知する。例えば、リソース割当アップデートメッセージは管理されるリソース（例えば、部分的または全体的リソース）に対する情報を含むことができる。
【００３７】
ステップ５０２で、マスターＢＳ １０２Ａはリソースを制御するためのリソース割当要請を各々のスレーブＢＳ １０２Ｂ及び１０２Ｃに送信する。ステップ５０４で、スレーブＢＳ １０２Ｂ及び１０２ＣはマスターＢＳ １０２Ａにより全体リソースが制御されるか、または部分リソースが制御されるかを表すリソース割当応答を送信する。ステップ５０６で、マスターＢＳ １０２Ａはリソース割当応答に基づいて累積リソースを移動局１０４に割り当てる。
【００３８】
スレーブＢＳ １０２Ｃが第２スケジューリングインターバルの以前に他のクラウドセルに連結されてそのクラウド１１０Ｂと自身のリソースの一部を共有する場合を仮定する。このようなケースにおいて、ステップ５０８で、スレーブＢＳ １０２Ｃはクラウドセル１１０Ｂと部分的なリソースが共有されたことを表すリソース割当アップデートをマスターＢＳ １０２Ａに送信する。これによって、ステップ５１０で、マスターＢＳ １０２ＡはスレーブＢＳ １０２Ｃから受信されたリソースアップデートに基づいて累積リソースを移動局１０４に割り当てる。
【００３９】
図６は、移動局１０４が単一の受信／送信チェーンを有し、スケジューリングインターバル６０２が長い場合に、移動局１０４とＢＳ １０２Ａ乃至１０２Ｃとの間の通信リンクに対するリソーススケジューリングを示す概略図６００である。長いスケジューリングインターバル６０２において、マスターＢＳ １０２ＡはＢＳ １０２Ａ乃至１０２Ｃの各々からのリソースを一度に移動局１０４に割り当てて、スケジューリングインターバル６０２のデータ部分内で時間マルチプレキシングされた方式によりＢＳ １０２Ａ乃至１０２Ｃからのリソースを割り当てる。移動局１０４が単一の受信チェーンを有するので、ＢＳ １０２Ａ乃至１０２Ｃの各々からのリソースが一度に割り当てられるということが認識できる。また、スケジューリングインターバル６０２は１つ以上のタイムスロットに分割できる。このような場合、マスターＢＳ １０２Ａはスケジューリングインターバル６０２のデータ部分内のタイムスロットの粒度（granularity）に累積リソースを割り当てる。
【００４０】
図示したように、マスターＢＳ １０２Ａはスケジューリングインターバル６０２の開始でリソース割当制御情報６０４を転送する。次に、マスターＢＳ １０２Ａはリソース割当制御情報６０４に示される関連リソースを使用してデータパケットを移動局１０４に転送する。また、スレーブＢＳ １０２Ｃはリソース割当制御情報６０４に示される関連リソースを使用してデータパケットを移動局１０４に転送する。この後、スレーブＢＳ １０２Ｂはリソース割当制御情報６０４に示される関連リソースを使用してデータパケットを移動局１０４に転送する。この後、マスターＢＳ １０２Ａはリソース割当制御情報６０４に示される関連リソースを使用してデータパケットを移動局１０４に転送する。最後に、スレーブＢＳ １０２Ｃはリソース割当制御情報６０４に示される関連リソースを使用してデータパケットを移動局１０４に転送する。毎スケジューリングインターバル６０２の間、移動局１０４はリソース割当制御情報６０４をデコーディングし、そのデコーディングされたリソース割当制御情報６０４に示される相異する時間インスタントで単一の受信チェーンを使用してＢＳ １０２Ａ乃至１０２Ｃからデータパケットを受信する。同様に、移動局１０４はデコーディングされたリソース割当制御情報６０４に示される相異する時間インスタントで単一の送信チェーンを使用してデータパケットをＢＳ １０２Ａ乃至１０２Ｃに転送する。
【００４１】
図７は、移動局１０４が単一の受信／送信チェーンを有し、スケジューリングインターバル７０２が短い場合、移動局１０４とＢＳ １０２Ａ乃至１０２Ｃとの間の通信リンクに対するリソーススケジューリングを示す概略図７００である。短いスケジューリングインターバル７０２において、マスターＢＳ １０２Ａは単一のＢＳ（ＢＳ １０２Ａ乃至１０２Ｃのうちの１つ）からのリソースを一度に割り当てる。移動局１０４が単一の受信チェーンを有しており、スケジューリングインターバル７０２が短いため、マスターＢＳ １０２Ａは単一のＢＳからのリソースを一度に割り当てる。一般的に、スケジューリングインターバルが短く、移動局１０４が複数の受信チェーンを有する場合、スケジューリングインターバル７０２の間ダウンリンクリソースが割り当てられるＢＳの最大個数は移動局１０４内の受信チェーンの個数となる。毎スケジューリングインターバル７０２の開始において、マスターＢＳ １０２Ａは単一基地局から移動局１０４へのダウンリンク及び／又はアップリンクリソースを表すリソース割当制御情報７０４を転送する。この割り当てられたリソースは、スケジューリングインターバル７０２と関連した割当インターバル７０４に対応する。ダウンリンク時に割当インターバル７０４はスケジューリングインターバル７０７とは同一であるが、アップリンク時に割当インターバル７０４はスケジューリングインターバル７０２とは知られたオフセットで離れている。毎スケジューリングインターバル７０２の間に、移動局１０４は関連した通信リンクの上でマスターＢＳ １０２Ａからリソース割当制御情報７０４を受信するために受信チェーンを使用する。また、移動局１０４はリソース割当制御情報７０４と共にマスターＢＳ １０２Ａからデータパケットを受信することができる。移動局１０４は、リソース割当制御情報７０４をデコーディングし、受信チェーンを使用して上記デコーディングされたリソース割当制御情報７０４に表示されたＢＳからデータパケットを受信する。同様に、移動局１０４は送信チェーンを使用して上記デコーディングされたリソース割当制御情報７０４に表示されたＢＳにデータパケットを送信する。
【００４２】
図８は、移動局１０４が多数の受信／送信チェーンを有し、スケジューリングインターバル８０２が長い時に移動局１０４とＢＳ １０２Ａ乃至１０２Ｃとの間の通信リンク上でのリソーススケジューリングを示す概略図８００である。長いスケジューリングインターバル８０２の間に、データ部分のタイムスロットで割り当てられたダウンリンクリソースに対応するＢＳ １０２Ａ乃至１０２Ｃの最大個数が移動局１０４内の受信チェーンの個数より小さいか同一であるように、マスターＢＳ １０２Ａは、スケジューリングインターバル８０２のデータ部分内で時間マルチプレキシングされた方式により１つ以上のＢＳ １０２Ａ乃至１０２Ｃからのリソースを割り当てる。図８に示すように、移動局１０４は２つの受信チェーンを備え、したがってマスターＢＳ １０２Ａは一度に最大２つのＢＳからのリソースを割り当てる。
【００４３】
毎スケジューリングインターバル８０２の開始において、マスターＢＳ １０２ＡはＢＳ １０２Ａ乃至１０２Ｃから移動局１０４へのダウンリンク及び／又はアップリンクリソースを表すリソース割当制御情報８０４を転送する。毎スケジューリングインターバル７０２の間に、移動局１０４は１つの受信チェーンを使用して関連通信リンク上でマスターＢＳ １０２Ａからリソース割当制御情報８０４を受信する。また、移動局１０４はリソース割当制御情報８０４と共にマスターＢＳ １０２Ａからデータパケットを受信することができる。移動局１０４は、リソース割当制御情報８０４をデコーディングし、複数の受信チェーンを使用してスケジューリングインターバル８０２内の相異する時間インスタントで上記デコーディングされたリソース割当制御情報８０４に表示されたＢＳ １０２Ａ乃至１０２Ｃからデータパケットを受信する。同様に、移動局１０４は複数の送信チェーンを使用して相異する時間インスタントで上記デコーディングされたリソース割当制御情報８０４に表示されたＢＳ １０２Ａ乃至１０２Ｃにデータパケットを送信する。移動局１０４は、受信チェーンが利用可能であり、必要の時にＢＳを探索／モニターリングするために受信チェーンのうちの任意のものを使用することができる。
【００４４】
図９は、移動局１０４が多数の受信／送信チェーンを有し、スケジューリングインターバル９０２が長い時に移動局１０４とＢＳ １０２Ａ乃至１０２Ｃとの間の通信リンク上でのリソーススケジューリングを示す概略図９００である。長いスケジューリングインターバル９０２の間に、マスターＢＳ １０２Ａはスケジューリングインターバル９０２のデータ部分内で時間マルチプレキシングされた方式により１つ以上のＢＳ １０２Ａ乃至１０２Ｃからのリソースを割り当てて、多数の受信チェーンのうちの１つはマスターＢＳ １０２Ａとの通信専用である。データ部分のタイムスロットで割り当てられるダウンリンクリソースに対応するＢＳ １０２Ａ乃至１０２Ｃの最大個数は移動局１０４内の受信チェーンの個数より小さいか同一であるようにマスターＢＳ １０２Ａは１つ以上のＢＳ １０２Ａ乃至１０２Ｃからのリソースを割り当てる。図９に示すように、移動局１０４は２つの受信チェーンを備えるが、毎スケジューリングインターバル９０２の間に、第１受信チェーン９０６は制御情報９０４及び、マスターＢＳ １０２Ａからのデータパケットの受信専用であり、第２受信チェーン９０８はスレーブＢＳ １０２Ｂ及びスレーブＢＳ １０２Ｃからのデータパケットの受信専用である。
【００４５】
図１０は、他の実施形態に従うリソース割当制御情報を移動局１０４にシグナリングし、処理する例示的な方法を示すフローチャート１０００である。毎スケジューリングインターバルの以前に、マスターＢＳ １０２Ａはクラウドセル１１０Ａ内の基地局のうちのいずれがスケジューリングインターバルの間に移動局１０４と通信することに使われるかをステップ１００２で決定する。マスターＢＳ １０２Ａが自身と共にスレーブＢＳ １０２Ｂ及び１０２Ｃが移動局１０４と通信することに使われると仮定する。ステップ１００４で、マスターＢＳ １０２Ａはスケジューリングインターバルの間に移動局１０４とＢＳ １０２Ａ乃至１０２Ｃとの間の各々の通信リンク上の利用のために使用することができるスレーブＢＳ １０２Ｂ及び１０２Ｃ及び自身と関連したリソースを決定する。このように移動局１０４とＢＳ １０２Ａ乃至１０２Ｃとの間の各々の通信リンク上の利用のために使用することができるスレーブＢＳ １０２Ｂ及び１０２Ｃ及び自身と関連したリソースを決定する例示的な方法が図３乃至図５に図示されている。
【００４６】
ステップ１００６で、マスターＢＳ １０２ＡはマスターＢＳ １０２Ａ及びスレーブＢＳ １０２Ｂ及び１０２Ｃと関連した使用可能なリソースからの累積リソースをスケジューリングインターバルの間移動局１０４に割り当てる。例えば、この累積リソースは移動局１０４とＢＳ １０２Ａ乃至１０２Ｃとの間の各々の通信リンク上で使われるために割り当てられたＢＳ １０２Ａ乃至１０２Ｃからのダウンリンクリソース及び／又はアップリンクリソースを含む。マスターＢＳ １０２Ａは、移動局１０４内の送信チェーンの個数に基づいてＢＳ １０２Ａ乃至１０２Ｃからのアップリンクリソースを移動局１０４に割り当てる。同様に、マスターＢＳ １０２Ａは移動局１０４内の受信チェーンの個数に基づいてＢＳ １０２Ａ乃至１０２Ｃからのダウンリンクリソースを移動局１０４に割り当てる。例えば、移動局１０４が単一受信チェーンを備えれば、マスターＢＳ １０２Ａは１つのタイムスロットで各ＢＳからのダウンリンクリソースを割り当てたり、スケジューリングインターバル内での時間マルチプレキシングされた方式により、複数のＢＳ １０２Ａ乃至１０２Ｃからのダウンリンクリソースを割り当てたりする。これとは異なり、移動局１０４が多数の受信チェーンを備えれば、そのタイムスロットで割り当てられるダウンリンクリソースに対応するＢＳ １０２Ａ乃至１０２Ｃの最大個数が移動局１０４内の受信チェーンの個数より小さいか同一であるようにマスターＢＳ １０２Ａは１タイムスロットで複数のＢＳからのダウンリンクリソースを割り当てたり、時間マルチプレキシングされた方式により複数のＢＳ １０２Ａ乃至１０２Ｃからのダウンリンクリソースを割り当てたりする。
【００４７】
ステップ１００８で、マスターＢＳ １０２Ａは移動局１０４に割り当てられた累積リソースを表すリソース割当制御情報を転送するためのＢＳをスレーブＢＳ １０２Ｂ及び１０２Ｃのうちから選択する。一実施形態において、マスターＢＳ １０２ＡはＢＳ １０２Ａ乃至１０２Ｃと移動局１０４との間の通信リンクの品質測定値に基づいて上記リソース割当制御情報を転送するためのＢＳをスレーブＢＳ １０２Ｂ及び１０２Ｃのうちから選択する。このような実施形態において、ＢＳ １０２Ａ乃至１０２Ｃの各々及び移動局１０４は各々ダウンリンク及びアップリンク時に通信リンクの品質を測定する。移動局１０４及びスレーブＢＳ １０２Ｂ及び１０２Ｃ全てが各々の通信リンク品質測定値をマスターＢＳ １０２Ａに転送することができる。マスターＢＳ １０２Ａは、ダウンリンク通信品質測定値及び／又はアップリンク通信品質測定値を使用して最上の通信リンク品質を有するＢＳを選択する。マスターＢＳ １０２Ａは、このような通信リンク品質の以外にスレーブＢＳ １０２Ｂ及び１０２Ｃの地形学的位置及び負荷共有状態のような他のパラメータに基づいてスレーブＢＳ １０２Ｂ及び１０２Ｃのうちから１つを選択することができる。例示のために、上記リソース割当制御情報を転送するためのＢＳとしてスレーブＢＳ １０２Ｂが選択されたことと仮定する。ステップ１０１０で、マスターＢＳ １０２Ａは上記リソース割当制御情報を転送するためのＢＳとしてスレーブＢＳ １０２Ｂが選択されたことをスレーブＢＳ １０２Ｂ及び移動局１０４に通知する。
【００４８】
ステップ１０１２で、マスターＢＳ １０２ＡはＢＳ １０２Ａ乃至１０２Ｃと関連したリソース割当制御情報をスレーブＢＳ １０２Ｂに転送する。ステップ１０１４で、スレーブＢＳ １０２Ｂは移動局１０４とこのスレーブＢＳ １０２Ｂとの間の通信リンク上で上記リソース割当制御情報を移動局１０４に転送する。ステップ１０１６で、移動局１０４はこの受信された累積リソース割当制御情報をデコーディングする。ステップ１０１８で、移動局１０４及びＢＳ １０２Ａ乃至１０２Ｃはスケジュールインターバルの間に、上記デコーディングされたリソース割当制御情報に従ってデータパケットを交換する。移動局１０４が単一受信チェーンを有すれば、移動局１０４は単一受信チェーンを使用して上記デコーディングされたリソース割当制御情報に従ってデータパケットをＢＳ １０２Ａ乃至１０２Ｃの各々から受信する。これとは異なり、移動局１０４が複数の受信チェーンを有すれば、移動局１０４はこの複数の受信チェーンを使用して上記デコーディングされたリソース割当制御情報に従ってデータパケットをＢＳ １０２Ａ乃至１０２Ｃ全てから受信する。幾つかの実施形態において、移動局１０４が複数の受信チェーンを備えれば、移動局１０４は専用受信チェーンを使用してマスターＢＳ １０２Ａからは制御情報及び／又はデータパケットを受信し、残りの受信チェーンを使用してスレーブＢＳ １０２Ｂ及び１０２Ｃからデータパケットを受信することができる。
【００４９】
図１１ａは、他の実施形態に従ってリソース割当制御情報を移動局１０４にシグナリングし、処理する他の例示的な方法を示すフローチャート１１００である。毎スケジューリングインターバルの以前に、マスターＢＳ １０２Ａはクラウドセル１１０Ａ内の基地局のうち、どれがスケジューリングインターバルの間に移動局１０４と通信することに使われるかをステップ１１０２で決定する。マスターＢＳ １０２Ａが自身と共にスレーブＢＳ １０２Ｂ及び１０２Ｃが移動局１０４と通信することに使われることと決定したと仮定する。ステップ１１０４で、マスターＢＳ １０２Ａはスケジューリングインターバルの間に移動局１０４とＢＳ １０２Ａ乃至１０２Ｃとの間の各々の通信リンク上の利用のために使用することができるスレーブＢＳ １０２Ｂ及び１０２Ｃ、及び自身と関連したリソースを決定する。このように移動局１０４とＢＳ １０２Ａ乃至１０２Ｃとの間の各々の通信リンク上の利用のために使用することができるスレーブＢＳ １０２Ｂ及び１０２Ｃ及び自身と関連したリソースを決定する例示的な方法が図３乃至図５に図示されている。
【００５０】
ステップ１１０６で、マスターＢＳ １０２ＡはマスターＢＳ １０２Ａ及びスレーブＢＳ １０２Ｂ及び１０２Ｃと関連した使用可能なリソースからの累積リソースをスケジューリングインターバルの間移動局１０４に割り当てる。例えば、この累積リソースは移動局１０４とＢＳ １０２Ａ乃至１０２Ｃとの間の各々の通信リンク上で使われるために割り当てられたＢＳ １０２Ａ乃至１０２Ｃからのダウンリンクリソース及び／又はアップリンクリソースを含む。
【００５１】
ここに、マスターＢＳ １０２Ａと移動局１０４との間の通信リンクが一時的にダウンしたと仮定する。そして、マスターＢＳ １０２Ａが移動局１０４に割り当てられた累積リソースを表すリソース割当制御情報を転送するための他のＢＳに対する選択をまだ通知しないと仮定する。ステップ１１０８で、移動局１０４はリソース割当制御情報を転送するためのＢＳをスレーブＢＳ １０２Ｂ及び１０２Ｃのうちから選択する。幾つかの実施形態において、移動局１０４はＢＳ １０２Ａ乃至１０２Ｃと移動局１０４との間の通信リンクの品質測定値に基づいて上記リソース割当制御情報を転送するためのＢＳをスレーブＢＳ １０２Ｂ及び１０２Ｃのうちから選択する。上記リソース割当制御情報を転送するためのＢＳとしてスレーブＢＳ １０２Ｂが選択されたと仮定する。ステップ１１０８は、マスターＢＳ １０２Ａと移動局１０４との間の通信リンクがダウンされた時（即ち、信頼できない状態になった時）基地局選択を記述したが、リソース割当制御情報を転送するために以前に選択された基地局と移動局１０４との間の通信リンクがダウン状態（信頼できない状態）になった時にも移動局１０４は基地局を選択することができることを本技術分野の当業者は考えることができる。
【００５２】
ステップ１０１０で、移動局１０４は上記リソース割当制御情報を転送するためのＢＳとしてスレーブＢＳ １０２Ｂが選択されたことをスレーブＢＳ １０２Ｂに通知する。幾つかの実施形態において、移動局１０４は上記スレーブＢＳ １０２Ｂが選択されたことをレスキューチャンネル（rescue channel）を使用して通知することができる。レスキューチャンネルは、クラウドセル１１０Ａ内のスレーブＢＳ １０２Ｂ及び１０２Ｃと関連した専用制御チャンネルである。このレスキューチャンネルは、専用レスキューコード及び専用または共通レスキューオポチュニティー（opportunity）形態になることができる。レスキューコード及びレスキューオポチュニティーはＷｉＭＡＸ（Worldwide Inteoperability for Microwave Access）、３ＧＰＰ（Third Generation Partnership Project）などのような無線通信システムで使われるレンジングコード（ranging code）及びレンジングオポチュニティーと類似している。スレーブＢＳ １０２Ｂ及び１０２Ｃと関連したレスキューチャンネル情報を移動局１０４に提供するプロセスが図１１ｂに図示されている。
【００５３】
例示的な具現例において、通信リンクがダウン状態になれば、移動局１０４は通信リンク品質測定値に基づいてスレーブＢＳ １０２Ｂ及び１０２Ｃのうちの１つを選択し、専用／共通レスキューオポチュニティーで専用レスキューコードを転送する。ステップ１１１２で、選択されたＢＳ（例えば、スレーブＢＳ １０２Ｂ）が、自身がレスキュー応答チャンネルを介してリソース割当制御情報を転送するためのソースの役割をすることを知らせる確認メッセージを移動局１０４に転送する。ステップ１１１４で、スレーブＢＳ １０２Ｂがリソース割当制御情報を転送するためのソースとして移動局１０４により、自身が選択されたことを知らせる通知をマスターＢＳ １０２Ａに行う。
【００５４】
ステップ１１１６で、マスターＢＳ １０２ＡはＢＳ １０２Ａ乃至１０２Ｃと関連したリソース割当制御情報をスレーブＢＳ １０２Ｂに転送する。ステップ１１１８で、スレーブＢＳ １０２Ｂは移動局１０４とスレーブＢＳ １０２Ｂとの間の通信リンク上でリソース割当制御情報を移動局１０４に転送する。ステップ１１２０で、移動局１０４はこの受信された累積リソース割当制御情報をデコーディングする。ステップ１１２２で、移動局１０４及びＢＳ １０２Ａ乃至１０２Ｃはスケジュールインターバルの間に上記デコーディングされたリソース割当制御情報に従ってデータパケットを交換する。移動局１０４が単一受信チェーンを有すれば、移動局１０４は単一受信チェーンを使用して上記デコーディングされたリソース割当制御情報に従ってデータパケットをＢＳ １０２Ａ乃至１０２Ｃの各々から受信する。これとは異なり、移動局１０４が複数の受信チェーンを有すれば、移動局１０４はこの複数の受信チェーンを使用して上記デコーディングされたリソース割当制御情報に従ってデータパケットをＢＳ １０２Ａ乃至１０２Ｃ全てから受信する。幾つかの実施形態において、移動局１０４が複数の受信チェーンを備えれば、移動局１０４は専用受信チェーンを使用してマスターＢＳ １０２Ａからは制御情報及び／又はデータパケットを受信し、残りの受信チェーンを使用してスレーブＢＳ １０２Ｂ及び１０２Ｃからデータパケットを受信することができる。
【００５５】
特に、マスターＢＳ １０２Ａと移動局１０４との間の通信リンクが一時的に切断された時にも前述した方法ステップ（１１０２乃至１１２２）は適用可能であることを本技術分野の当業者は知ることができる。このような場合に、マスターの役割を他のＢＳにスイッチングする代わりに、この他のＢＳがリソース割当制御情報を転送するソースとして移動局１０４により選択される。従って、マスターＢＳのマスター役割をスレーブＢＳにスイッチングすることと関連した不要なオーバーヘッドが相当に低減される。予め構成された臨界値より長い期間の間にマスターＢＳ １０２Ａと移動局１０４との間の通信リンクが一時的に切断された場合には、リソース割当制御情報を転送するために選択されたスレーブＢＳ １０２Ｂにマスター役割が付与できる。これとは異なり、選択されたＢＳが移動局１０４に予め規定された個数の連続的なトランザクションを提供すれば、この選択されたＢＳがマスターになることができる。また、マスターＢＳ １０２Ａと移動局１０４との間の通信リンクが予め構成されたインターバル内で予め構成された回数によって損失されれば、新たなマスターがクラウドセル内で選択される。
【００５６】
図１１ｂは、一実施形態に従ってスレーブＢＳ １０２Ｂ及び１０２Ｃと関連したレスキューチャンネルを構成するための例示的な方法を示すフローチャート１１５０である。ステップ１１５２で、マスターＢＳ １０２ＡはスレーブＢＳ １０２Ｂ及び１０２Ｃと関連したレスキューチャンネルを構成するための要請を転送する。ステップ１１５４で、スレーブＢＳ １０２Ｂ及び１０２Ｃは該当レスキューコード及びレスキューオポチュニティーを含むレスキューチャンネル構成応答をマスターＢＳ １０２Ａに転送する。ステップ１１５６で、マスターＢＳ １０２ＡはスレーブＢＳ １０２Ｂ及び１０２Ｃと関連したレスキューコード及びレスキューオポチュニティーを含むレスキューチャンネル情報を転送する。これとは異なり、スレーブＢＳ １０２Ｂ及び１０２Ｃはクラウドセル１１０に加入すると、直ぐに関連したレスキューチャンネル情報をマスターＢＳ １０２Ａと共有する。
【００５７】
図１２は、更に他の実施形態に従ってリソース割当制御情報を移動局１０４にシグナリングし、処理する例示的な方法を示すフローチャート１２００である。毎スケジューリングインターバルの以前に、マスターＢＳ １０２Ａはクラウドセル１１０Ａ内の基地局うち、どれがスケジューリングインターバルの間に移動局１０４と通信することに使われるかをステップ１２０２で決定する。マスターＢＳ １０２Ａが自身と共にスレーブＢＳ １０２Ｂ及び１０２Ｃが移動局１０４と通信することに使われると決定したと仮定する。ステップ１２０４で、マスターＢＳ １０２Ａはスケジューリングインターバルの間に移動局１０４とＢＳ １０２Ａ乃至１０２Ｃとの間の各々の通信リンク上の利用のために使用することができるスレーブＢＳ １０２Ｂ及び１０２Ｃ、及び自身と関連したリソースを決定する。このように移動局１０４とＢＳ １０２Ａ乃至１０２Ｃとの間の各々の通信リンク上の利用のために使用することができるスレーブＢＳ １０２Ｂ及び１０２Ｃ、及び自身と関連したリソースを決定する例示的な方法が図３乃至図５に図示されている。
【００５８】
ステップ１２０６で、マスターＢＳ １０２ＡはマスターＢＳ １０２Ａ及びスレーブＢＳ １０２Ｂ及び１０２Ｃと関連した使用可能なリソースからの累積リソースをスケジューリングインターバルの間移動局１０４に割り当てる。例えば、この累積リソースは移動局１０４とＢＳ １０２Ａ乃至１０２Ｃとの間の各々の通信リンク上で使われるために割り当てられたＢＳ １０２Ａ乃至１０２Ｃからのダウンリンクリソース及び／又はアップリンクリソースを含む。
【００５９】
ステップ１２０８で、マスターＢＳ １０２Ａは自身と共に累積リソースを表すリソース割当制御情報を転送するためのＢＳを選択する。一実施形態において、マスターＢＳ １０２ＡはＢＳ １０２Ｂ及び１０２Ｃと移動局１０４との間の通信リンクの品質測定値に基づいて上記リソース割当制御情報を転送するためのＢＳを選択することができる。また、先行するスケジューリングインターバルの間にリソース割当制御情報を転送するために選択された基地局は次のスケジューリングインターバルの間には動的に変わることができる。また、単一基地局が移動局１０４に上記リソース割当制御情報を転送するために選択されることもできる。例示のために、マスターＢＳ １０２ＡがＢＳ １０２Ｂ及び１０２Ｃを選択すると仮定する。ステップ１２１０で、マスターＢＳ １０２ＡがＢＳ １０２Ａ乃至１０２Ｃの各々が移動局１０４に上記リソース割当制御情報を転送するために必要なタイミング及び順序を算出する。ステップ１２１２で、マスターＢＳ １０２Ａがリソース割当制御情報、転送タイミング及び順序、レンジ（range）及び有効周期（validity period）をＢＳ １０２Ｂ及び１０２Ｃに転送する。ここで、レンジは転送タイミング及び順序が適用可能なスケジューリングインターバルを表示することができる。また、有効周期はタイミング及び順序が有効になるレンジの反復期間を表示することができる。
【００６０】
ステップ１２１４で、マスターＢＳ １０２Ａがリソース割当制御情報の転送タイミング及び順序、レンジ及び有効周期を移動局１０４に転送する。これとは異なり、リソース割当制御情報の転送タイミング及び順序、レンジ及び有効周期はマスターＢＳ １０２Ａが選択した他の基地局により移動局１０４に転送される。一実施形態において、リソース割当制御情報の転送タイミング及び順序、レンジ及び有効周期は（例えば、ＭＣＳ（Modulation and Codign Scheme）のような）予め特定されたＰＨＹ層パラメータを有する予め割り当てられた時間周波数リソース内に転送される。単一受信チェーンを有する移動局１０４の場合、ダウンリンクデータに対するリソースは転送タイミング及び順序が転送されるスロットまたはシンボルの間にマスターＢＳ １０２Ａの以外のＢＳによっては割り当てられない。複数の受信チェーンを有する移動局１０４の場合、ダウンリンクデータに対するリソースは転送タイミング及び順序が転送されるスロットまたはシンボル間に１つの受信チェーンが移動局１０４により転送タイミング及び順序をデコーディングするために使われるように移動局によりサポートされる受信チェーンの数に基づいてクラウドセル１１０Ａ内の任意の基地局により割当できる。他の実施形態において、リソース割当制御情報の転送タイミング及び順序、レンジ及び有効周期は移動局１０４へのシグナリングメッセージ内で転送される。リソース割当制御情報の転送タイミング及び順序、レンジ及び有効周期は、本明細書において、以下では“事前制御情報”と称される。幾つかの実施形態において、事前制御情報は有効周期の第１レンジ内でマスターＢＳ １０２Ａのリソース割当制御領域の第１発生時に移動局１０４に転送され、ここで上記レンジ内での第１リソース割当制御領域はマスターＢＳ １０２Ａから入力される。
【００６１】
リソース割当制御情報を転送することに参加する基地局は、移動局１０４とＢＳ １０２Ａ乃至１０２Ｃとの間の通信リンク状態に従って動的に変わることができる。マスターＢＳ １０２Ａは、リソース割当制御情報を転送するＢＳ １０２Ｂ及び１０２Ｃを決定するためにＢＳ １０２Ｂ及び１０２Ｃ、及び移動局１０４と調整することができる。
【００６２】
また、事前制御情報は、リソース割当制御情報を移動局１０４に転送するＢＳ １０２Ａ乃至１０２Ｃのリストをまた表示することができる。一実施形態において、事前制御情報はマスターＢＳ １０２Ａを含む１つの基地局を表示することができる。マスターＢＳ １０２Ａとのリンクが良好でなければ、マスターＢＳ １０２Ａは事前制御情報内に表示されたようなリソース割当制御情報を転送するための他の基地局を選択することができる。転送信頼性がリソース割当制御情報を転送する単一ＢＳを通じては保証されなければ、マスターＢＳ １０２Ａは累積リソース割当制御情報を転送するために複数の基地局を選択し、このように累積リソース割当制御情報を転送するために選択された複数の基地局を事前制御情報内に含める。移動局１０４内の受信チェーンの個数がリソース割当制御情報を転送することに必要な基地局の個数より多いか同一であり、基地局がリソース割当制御情報を同時に転送することが要求されれば、マスターＢＳ １０２Ａは転送タイミング及び順序を移動局１０４に転送できない。
【００６３】
ステップ１２１６で、マスターＢＳ １０２Ａ、スレーブＢＳ １０２Ｂ、及びスレーブＢＳ １０２Ｃは、予め規定された転送順序及びタイミングで各々の通信リンクを通じてリソース割当制御情報を移動局１０４に転送する。マスターＢＳ １０２Ａ、スレーブＢＳ １０２Ｂ、及びスレーブＢＳ １０２Ｃは、データパケット転送の以前にリソース割当制御情報を移動局１０４に転送することができる。ステップ１２１８で、移動局１０４は、マスターＢＳ １０２Ａ、スレーブＢＳ １０２Ｂ、及びスレーブＢＳ １０２Ｃのうちの１つから受信された累積リソース割当制御情報をデコーディングする。ステップ１２２０で、移動局１０４及びＢＳ １０２Ａ乃至１０２Ｃは、スケジュールインターバルの間に上記デコーディングされたリソース割当制御情報に従ってデータパケットを交換する。前述した方法１２００は、移動局１０４とマスターＢＳ １０２Ａとの間の通信リンクが故障した場合にも移動局１０４がリソース割当制御情報を受信することを保証する。
【００６４】
図１３は、スケジューリングインターバル１３０８の間に複数の基地局１０２Ａ乃至１０２Ｃが移動局１０４にリソース割当制御情報を転送することを示す概略図１３００である。図１３に示すように、マスターＢＳ １０２Ａは有効期間１３００の開始時に転送タイミング及び順序１３０２を移動局１０４に転送する。転送順序は、リソース割当制御情報１３０４が複数の基地局１０２Ａ乃至１０２Ｃにより転送される順序を表示する。転送タイミングは、複数の基地局１０２Ａ乃至１０２Ｃの各々が移動局１０４にリソース割当制御情報を転送する時間を表示する。レンジ１３０６は転送タイミング及び順序が適用可能なスケジューリングインターバルを表示する。有効期間１３０６は、このタイミング及び順序が有効になるレンジの反復時間をいう。例えば、図１３ａに示すように、有効周期は単一レンジ１３０６の間に適用可能な反面、図１３ｂで有効周期１３１０は２つのレンジ１３０６の間に適用可能である。
【００６５】
移動局１０４は、マスターＢＳ １０２Ａが表示した予め規定された順序及びタイミングでリソース割当制御情報１３０４を探索する。次に、移動局１０４は複数の基地局１０２Ａ乃至１０２Ｃのうちの１つから受信されたリソース割当制御情報１３０４をデコーディングし、このデコーディングされたリソース割当制御情報１３０４に従ってスケジューリングインターバル１３０８の間に基地局１０２Ａ乃至１０２Ｃからデータパケットを受信する。
【００６６】
図１４は、更に他の実施形態に従ってリソース割当制御情報を移動局１０４にシグナリングし、処理する例示的な方法を示すフローチャート１４００である。毎スケジューリングインターバルの以前に、マスターＢＳ １０２Ａはクラウドセル１１０Ａ内の基地局のうち、どれがスケジューリングインターバルの間に移動局１０４と通信することに使われるかをステップ１４０２で決定する。マスターＢＳ １０２Ａが自身と共にスレーブＢＳ １０２Ｂ及び１０２Ｃが移動局１０４と通信することに使われると決定すると仮定する。ステップ１４０４で、マスターＢＳ １０２Ａはスケジューリングインターバルの間に移動局１０４とＢＳ １０２Ａ乃至１０２Ｃとの間の各々の通信リンク上の利用のために使用することができるスレーブＢＳ １０２Ｂ、及び１０２Ｃ及び自身と関連したリソースを決定する。このように移動局１０４とＢＳ １０２Ａ乃至１０２Ｃとの間の各々の通信リンク上の利用のために使用することができるスレーブＢＳ １０２Ｂ及び１０２Ｃ、及び自身と関連したリソースを決定する例示的な方法が図３乃至図５に図示されている。
【００６７】
ステップ１４０６で、マスターＢＳ １０２ＡはマスターＢＳ １０２Ａ及びスレーブＢＳ １０２Ｂ及び１０２Ｃと関連した使用可能なリソースからの累積リソースをスケジューリングインターバルの間移動局１０４に割り当てる。例えば、この累積リソースは移動局１０４とＢＳ １０２Ａ乃至１０２Ｃとの間の各々の通信リンク上で使われるために割り当てられたＢＳ １０２Ａ乃至１０２Ｃからのダウンリンクリソース及び／又はアップリンクリソースを含む。
【００６８】
ステップ１４０８で、マスターＢＳ １０２Ａは自身と共に累積リソースを表すリソース割当制御情報を転送するためのＢＳを選択する。一実施形態において、マスターＢＳ １０２ＡはＢＳ １０２Ｂ及び１０２Ｃと移動局１０４との間の通信リンクの品質測定値に基づいて上記リソース割当制御情報を転送するためのＢＳを選択することができる。また、先行するスケジューリングインターバルの間にリソース割当制御情報を転送するために選択された基地局は、次のスケジューリングインターバルの間には動的に変わることができる。例示のために、マスターＢＳ １０２ＡがＢＳ １０２Ｂ及び１０２Ｃを選択することと仮定する。ステップ１４１０で、マスターＢＳ １０２ＡがＢＳ １０２Ａ乃至１０２Ｃの各々が移動局１０４に上記リソース割当制御情報を転送するために必要なタイミング及び順序を算出する。ステップ１４１２で、マスターＢＳ １０２Ａがリソース割当制御情報、転送タイミング及び順序、レンジ（range）及び有効周期（validity period）をＢＳ １０２Ｂ及び１０２Ｃに転送する。
【００６９】
ステップ１４１４で、マスターＢＳ １０２Ａがリソース割当制御情報の転送タイミング及び順序、レンジ及び有効周期を移動局１０４に転送する。これとは異なり、リソース割当制御情報の転送タイミング及び順序、レンジ及び有効周期はマスターＢＳ １０２Ａが選択した他の基地局により移動局１０４に転送される。移動局１０４内の受信チェーンの個数がリソース割当制御情報を転送することに必要な基地局の個数より多いかまたは同一であり、基地局がリソース割当制御情報を同時に転送することが要求されれば、マスターＢＳ １０２Ａは転送タイ及び順序を移動局１０４に転送できない。
【００７０】
ステップ１４１６で、マスターＢＳ １０２Ａは予め規定された転送順序及びタイミングで各々の通信リンクを通じてリソース割当制御情報を移動局１０４に転送する。ステップ１４２６で、移動局１０４は、マスターＢＳ １０２Ａ、スレーブＢＳ １０２Ｂ、及びスレーブＢＳ １０２Ｃのうちの１つから受信された累積リソース割当制御情報をデコーディングする。移動局１０４が上記累積リソース割当制御情報を成功的にデコーディングした場合、ステップ１４２８で、移動局１０４及びＢＳ １０２Ａ乃至１０２Ｃはスケジュールインターバルの間に上記デコーディングされたリソース割当制御情報に従ってデータパケットを交換する。
【００７１】
もし、移動局１０４が上記累積リソース割当制御情報を成功的にデコーディングできなかった場合、ステップ１４１８で、移動局１０４はマスターＢＳ １０２Ａから受信されたリソース割当制御情報が成功的にデコーディングできないことを表すフィードバックメッセージをマスターＢＳ １０２Ａまたは予め規定された順序で表示された次の基地局（例えば、スレーブＢＳ １０２Ｂ）に転送する。ステップ１４２０で、スレーブＢＳ １０２Ｂはこのフィードバックメッセージに応答して上記累積リソース割当制御情報を移動局１０４に転送する。移動局１０４は、ステップ１４２６を繰り返してスレーブＢＳ １０２Ｂから受信された累積リソース割当制御情報をデコーディングする。もし、移動局１０４がスレーブＢＳ １０２Ｂから受信された累積リソース割当制御情報を成功的にデコーディングできなかった場合、ステップ１４２０で、移動局１０４はフィードバックメッセージをスレーブＢＳ １０２ＢまたはスレーブＢＳ １０２Ｃに転送し、でなければ、ステップ１４２６が遂行される。従って、ステップ１４２４で、スレーブＢＳ １０２Ｃはこのフィードバックメッセージに応答して上記累積リソース割当制御情報を移動局１０４に転送する。次に、移動局１０４はステップ１４２６及びステップ１４２８を繰り返す。これによって、前述した方法１４００は、リソース割当制御情報が移動局１０４に信頼できるように転送されることを保証する。データパケット転送を始めるために、移動局１０４はリソース割当制御情報を信頼できるようにデコーディングしなければならない。一旦、リソース割当制御情報が成功的にデコーディングされた場合、移動局１０４は前述したように、上記デコーディングされたリソース割当制御情報に従ってＢＳ １０２Ａ乃至１０２Ｃからデータパケットを受信する。
【００７２】
図１５は、スケジューリングインターバル１５０８の間にＢＳ １０２Ａ乃至１０２Ｃがリソース割当制御情報１５０４を移動局１０４に転送することを示す概略図１５００である。図１５に示すように、マスターＢＳ １０２Ａは転送タイミング及び順序１５０２を移動局１０４に転送する。転送順序はリソース割当制御情報１５０４が複数の基地局１０２Ａ乃至１０２Ｃにより転送される順序を表示する。転送タイミングは、複数の基地局１０２Ａ乃至１０２Ｃの各々が移動局１０４にリソース割当制御情報を転送する時間を表示する。
【００７３】
まず、移動局１０４がマスターＢＳ １０２Ａからリソース割当制御情報を受信する。移動局１０４がリソース割当制御情報をデコーディングすることに失敗すれば、移動局１０４はフィードバックメッセージ１５０６をマスターＢＳ １０２Ａまたは予め規定された順序で表示された次の基地局（例えば、スレーブＢＳ １０２Ｂ）に転送する。このフィードバックメッセージ１５０６は、移動局１０４がマスターＢＳ １０２Ａから受信されたリソース割当制御情報１５０４をデコーディングすることに失敗したことを表示する。スレーブＢＳ １０２Ｂは、このフィードバックメッセージ１５０６に応答して上記リソース割当制御情報１５０４を移動局１０４に転送する。
【００７４】
もし、移動局１０４がスレーブＢＳ １０２Ｂから受信された累積リソース割当制御情報を成功的にデコーディングできなかった場合、移動局１０４がマスターＢＳ １０２Ｂから受信されたリソース割当制御情報１５０４をデコーディング失敗したことを表すフィードバックメッセージ１５０６をマスターＢＳ １０２Ｂまたは予め規定された順序で表示された次の基地局（例えば、スレーブＢＳ １０２Ｃ）に転送する。これによって、スレーブＢＳ １０２Ｃはこのフィードバックメッセージ１５０６に応答して上記リソース割当制御情報を移動局１０４に転送する。移動局１０４がリソース割当制御情報１５０４を成功的にデコーディングすれば、移動局１０４はデコーディングされたリソース割当制御情報に従ってＢＳ １０２Ａ乃至１０２Ｃからデータパケットをスケジューリングインターバル１５０８の間に受信する。
【００７５】
図１６は、更に他の実施形態に従ってリソース割当制御情報を移動局１０４にシグナリングし、処理する例示的な方法を示すフローチャート１６００である。毎スケジューリングインターバルの以前に、マスターＢＳ １０２Ａはクラウドセル１１０Ａ内の基地局のうち、どれがスケジューリングインターバルの間に移動局１０４と通信することに使われるかをステップ１６０２で決定する。マスターＢＳ １０２Ａが自身と共にスレーブＢＳ １０２Ｂ及び１０２Ｃが移動局１０４と通信することに使われると決定すると仮定する。ステップ１６０４で、マスターＢＳ １０２ＡがＢＳ １０２Ａ乃至１０２Ｃの各々が移動局１０４に上記リソース割当制御情報を転送するために必要なタイミング及び順序を算出する。また、マスターＢＳ １０２Ａが、転送タイミング及び順序が適用可能なレンジ及び有効期間を設定することができる。レンジは転送タイミング及び順序が適用可能な１つ以上のスケジューリングインターバルを表示することができる。有効周期はタイミング及び順序が有効になるレンジの反復期間を表示することができる。
【００７６】
ステップ１６０６で、マスターＢＳ １０２Ａが各々のリソース割当制御情報、転送タイミング及び順序、有効期間及びレンジを転送する基地局のリストを含む事前制御情報を上記スレーブＢＳ １０２Ｂ及び１０２Ｃに転送する。ステップ１６０８で、マスターＢＳ １０２Ａが各々のリソース割当制御情報、転送タイミング及び順序、有効期間及びレンジを転送する基地局のリストを含む事前制御情報を移動局１０４に転送する。これとは異なり、この事前制御情報はマスターＢＳ １０２Ａが選択した他の基地局によって移動局１０４に転送される。
【００７７】
一実施形態において、この事前制御情報は（例えば、ＭＣＳ（Modulation and Codign Scheme）のような）予め特定されたＰＨＹ層パラメータを有する予め割り当てられた時間周波数リソース内に転送される。単一受信チェーンを有する移動局１０４の場合に、ダウンリンクデータに対するリソースは転送タイミング及び順序が転送されるスロットまたはシンボル間にマスターＢＳ １０２Ａの以外のＢＳによっては割り当てられない。複数の受信チェーンを有する移動局１０４の場合に、ダウンリンクデータに対するリソースは転送タイミング及び順序が転送されるスロットまたはシンボル間に１つの受信チェーンが移動局１０４により転送タイミング及び順序をデコーディングするために使われるように移動局によりサポートされる受信チェーンの数に基づいてクラウドセル１１０Ａ内の任意の基地局により割当できる。他の実施形態において、事前制御情報は移動局１０４へのシグナリングメッセージ内で転送される。
【００７８】
一実施形態において、有効周期が一スケジューリングインターバルに設定されない以上、毎有効周期の開始の以前に事前制御情報は移動局１０４に転送される。例えば、事前制御情報は有効周期の第１レンジ内のマスターＢＳ １０２Ａのリソース割当制御領域の第１発生内で転送できる。また、次の有効周期のための事前制御情報は以前の有効周期の最終レンジの最終リソース割当制御領域内で転送される。最終レンジ内の最終リソース割当制御領域は、クラウドセル１１０Ａ内の任意の基地局（例えば、ＢＳ １０２Ａ乃至１０２Ｃ）から来ることができる。しかしながら、如何なるリソースもマスターＢＳ １０２Ａによりリソース割当制御領域内で自身のために割り当てられなければ、次のリソース割当制御領域が次のスケジューリングインターバルの開始時であるので、移動局１０４は第１スケジューリングインターバルでは如何なるデータも受信しないことがある。これとは異なり、事前制御情報は有効周期の最終レンジの２つ以上のリソース割当制御領域内で転送される。これによって、移動局１０４が事前制御情報を受信することができる信頼性が増加する。他の実施形態において、移動局１０４内の受信チェーンの数が各々のリソース割当制御情報を転送することに必要な基地局の個数以上であり、この基地局が各々のリソース割当制御情報を同時に転送する必要があれば、マスターＢＳ １０２Ａは事前制御情報を移動局１０４に転送できない。
【００７９】
ステップ１６１０で、マスターＢＳ １０２Ａは事前制御情報に従って各々の通信リンクを通じて該当リソース割当制御情報を移動局１０４に転送する。ステップ１６１２で、移動局１０４はマスターＢＳ １０２Ａから受信されたリソース割当制御情報をデコーディングする。ステップ１６１４で、移動局１０４はスケジューリングインターバルの間に上記デコーディングされたリソース割当制御情報に従ってマスターＢＳ １０２Ａからのデータパケットを受信／送信することができる。移動局１０４が複数の受信チェーンを具備すれば、移動局１０４は専用受信チェーンを使用してマスターＢＳ １０２Ａから事前制御情報及び／又はデータパケットを受信する。
【００８０】
ステップ１６１６で、スレーブＢＳ １０２Ｂは事前制御情報に従って各々の通信リンクを通じて該当リソース割当制御情報を移動局１０４に転送する。ステップ１６１８で、移動局１０４はスレーブＢＳ １０２Ｂから受信されたリソース割当制御情報をデコーディングする。ステップ１６２０で、移動局１０４はスケジューリングインターバルの間に上記デコーディングされたリソース割当制御情報に従ってスレーブＢＳ １０２Ｂからのデータパケットを受信／送信することができる。
【００８１】
ステップ１６２２で、スレーブＢＳ １０２Ｃは事前制御情報に従って各々の通信リンクを通じて該当リソース割当制御情報を移動局１０４に転送する。ステップ１６２４で、移動局１０４はスレーブＢＳ １０２Ｃから受信されたリソース割当制御情報をデコーディングする。ステップ１６２６で、移動局１０４はスケジューリングインターバルの間に上記デコーディングされたリソース割当制御情報に従ってスレーブＢＳ １０２Ｃからのデータパケットを受信／送信することができる。
【００８２】
図１７は、毎有効周期１７０６の開始の以前にマスターＢＳ １０２Ａからの事前制御情報１７０２の転送を示す概略図１７００である。有効周期１７０６が１スケジューリングインターバル１７０８に設定されない以上、マスターＢＳ １０２Ａは毎有効周期１７０６の開始の以前に事前制御情報１７０２を転送する。図１７ａでは、事前制御情報１７０２は単一の事前制御情報レンジ１７０４の間有効であるが、図１７ｂでは、事前制御情報１７０２は３個の事前制御情報レンジ１７０４の間有効である。
【００８３】
図１８は、毎有効周期１７０６の開始の以前にマスターＢＳ １０２Ａからの事前制御情報１７０２の他の方式の転送を示す概略図１８００である。マスターＢＳ １０２Ａは有効周期１７０６の第１レンジ１７０４内のリソース割当制御領域の第１発生内で事前制御情報１７０２を転送することができる。また、マスターＢＳ １０２Ａは次の有効周期のための事前制御情報１７０２を以前の有効周期１７０６の最終レンジ１７０４の最終リソース割当制御領域内で転送することができる。
【００８４】
図１９は、毎有効周期１７０６の開始の以前にマスターＢＳ １０２Ａからの事前制御情報１７０２の他の方式の転送を示す概略図１９００である。マスターＢＳ １０２Ａが第１リソース割当制御領域１８０２では自身のために如何なるリソースも割り当てらないので、移動局１０４は第１スケジューリングインターバル１７０８では事前制御情報を受信しない。移動局１０４は、次のスケジューリングインターバル１７０８内の次のリソース割当制御領域１８０２内で事前制御情報１７０２を受信する。
【００８５】
図２０は、毎有効周期１７０６の開始の以前にマスターＢＳ １０２Ａからの事前制御情報１７０２の他の方式の転送を示す概略図２０００である。マスターＢＳ １０２Ａは以前の有効周期１７０６の最終レンジ１７０４の２つ以上のリソース割当制御領域１８０２内で次の有効周期１７０６のための事前制御情報１７０２を転送する。
【００８６】
図２１は、本開示対象の実施形態を具現するための多様な構成要素を示す、図１で図示したような移動局１０４のブロック図である。図２１で、移動局１０４は、プロセッサ２１０２、メモリ２１０４、ＲＯＭ２１０６、送受信機２１０８、通信インターフェース２１１０、及びバス２１１２を含む。
【００８７】
本明細書で使われるプロセッサ２１０２は次に限定されないが、マイクロプロセッサ、マイクロ制御機、複雑命令セットコンピューティングマイクロプロセッサ、縮小された命令セットコンピューティングマイクロプロセッサ、極めて長い命令ワードマイクロプロセッサ、明示的な並列命令コンピューティングマイクロプロセッサ、ディジタル信号プロセッサ、または任意のタイプのプロセシング回路のような任意のタイプのコンピュータ回路を意味する。また、プロセッサ２１０２は汎用またはプログラム可能なロジック素子またはアレイ、ＡＳＩＣ、単一チップコンピュータ、スマートカードなどのような内蔵型制御機を含むことができる。
【００８８】
メモリ２１０４は、揮発性メモリ及び不揮発性メモリでありうる。メモリ２１０４は、図１乃至図２０で例示された実施形態に従って、リソース割当制御情報を受信するために通信リンクをモニターリングし、リソース割当制御情報をデコーディングし、このデコーディングされたリソース割当制御情報に従ってＢＳ １０２Ａ乃至１０２Ｃからデータパケットを受信するための制御情報処理モジュール２１１４を含むことができる。メモリ要素は、ＲＡＭ、ＲＯＭ、消去可能プログラマブルＲＯＭ、電気的消去可能プログラマブルＲＯＭ、ハードドライブ、メモリカードをハンドリングするための分離式媒体ドライブ、Memory Sticks TMなどのようなデータ、及びマシン読取可能な命令を格納するための任意の適合したメモリ装置を含む。
【００８９】
本発明の実施形態はタスクを遂行し、アブストラクトデータタイプまたはローレベルハードウェアコンテキストを規定するための関数、プロシージャ、データ構造、またはアプリケーションプログラムを含むモジュールと共に具現できる。制御情報処理モジュール２１１４は、前述した格納媒体のうち、任意のものの上でマシン読取可能な命令の形態に格納されてプロセッサ２１０２により実行される。例えば、コンピュータプログラムは本開示対象の教示事項及び本明細書で記述された実施形態に従って、リソース割当制御情報を受信するために通信リンクをモニターリングし、リソース割当制御情報をデコーディングし、このデコーディングされたリソース割当制御情報に従ってＢＳ １０２Ａ乃至１０２Ｃからデータパケットを受信することができるマシン読取可能な命令を含むことができる。コンピュータプログラムは非一時的コンピュータ読取可能格納媒体上に含まれて、この格納媒体から不揮発性メモリであるハードドライブ上にローディングできる。
【００９０】
送受信機２１０８は、デコーディングされたリソース割当制御情報に従ってＢＳ １０２Ａ乃至１０２Ｃから／にデータパケットを受信／送信するように構成される。ＲＯＭ２１０６、通信インターフェース２１１０、及びバス２１１２のような構成要素は本技術分野でよく知られているので、その説明は省略する。
【００９１】
図２２は、本開示対象の実施形態を具現するための多様な構成要素を示す、図１に図示したような基地局１０２のブロック図である。図２２で、基地局１０２は、プロセッサ２２０２、メモリ２２０４、ＲＯＭ２２０６、送受信機２２０８、通信インターフェース２２１０、及びバス２２１２を含む。
【００９２】
本明細書で使われるプロセッサ２２０２は次に限定されないが、マイクロプロセッサ、マイクロ制御機、複雑な命令セットコンピューティングマイクロプロセッサ、縮小した命令セットコンピューティングマイクロプロセッサ、極めて長い命令ワードマイクロプロセッサ、明示的な並列命令コンピューティングマイクロプロセッサ、ディジタル信号プロセッサ、または任意のタイプのプロセシング回路のような任意のタイプのコンピュータ回路を意味する。また、プロセッサ２２０２は汎用またはプログラム可能なロジック素子またはアレイ、ＡＳＩＣ、単一チップコンピュータ、スマートカードなどのような内蔵型制御機を含むことができる。
【００９３】
メモリ２２０４は、揮発性メモリ及び不揮発性メモリでありうる。メモリ２２０４は、図１乃至図２０で例示された実施形態に従って、毎スケジューリングインターバルの間に各々の通信リンクを通じて使われるように使用可能なＢＳ １０２Ａ乃至１０２Ｃの累積リソースを移動局１０４に割り当てて、この割り当てられた累積リソースに対するリソース割当制御情報を移動局１０４に転送し、スケジューリングインターバルの間に上記割り当てられた累積リソース内の各々のリソースを使用してデータパケットを転送するための制御情報モジュール２２１４を含むことができる。メモリ要素は、ＲＡＭ、ＲＯＭ、消去可能プログラマブルＲＯＭ、電気的消去可能プログラマブルＲＯＭ、ハードドライブ、メモリカードをハンドリングするための分離式媒体ドライブ、メモリスティック（登録商標）などのようなデータ及びマシン読取可能な命令を格納するための任意の適合したメモリ装置を含む。
【００９４】
本発明の実施形態はタスクを遂行し、アブストラクトデータタイプまたはローレベルハードウェアコンテキストを規定するための関数、プロシージャ、データ構造またはアプリケーションプログラムを含むモジュールと共に具現できる。制御情報モジュール２２１４は、前述した格納媒体のうち、任意のものの上でマシン読取可能な命令の形態に格納されてプロセッサ２２０２により実行される。例えば、コンピュータプログラムは本開示対象の教示事項及び本明細書で記述された実施形態に従って、毎スケジューリングインターバルの間に各々の通信リンクを通じて使われるように使用可能なＢＳ １０２Ａ乃至１０２Ｃの累積リソースを移動局１０４に割り当てて、この割り当てられた累積リソースに対するリソース割当制御情報を移動局１０４に転送し、スケジューリングインターバルの間に上記割り当てられた累積リソース内の各々のリソースを使用してデータパケットを転送できるマシン読取可能な命令を含むことができる。コンピュータプログラムは、非一時的コンピュータ読取可能格納媒体上に含まれて、この格納媒体から不揮発性メモリであるハードドライブ上にローディングできる。
【００９５】
送受信機２２０８は、割り当てられた累積リソースに対するリソース割当制御情報を移動局１０４に転送し、スケジューリングインターバルの間に上記割り当てられた累積リソース内の各々のリソースを使用してデータパケットを移動局１０４から／に受信／転送できるように構成される。ＲＯＭ２２０６、通信インターフェース２２１０及びバス２２１２のような構成要素は本技術分野でよく知られているので、その説明は省略する。
【００９６】
本実施形態が特定の例示的な実施形態を参照して記述されたが、このような実施形態に対する多様な修正及び変更がこの多様な実施形態のより広い思想及び範囲を逸脱することなくなされることができる。また、本明細書で記述される多様な装置、モジュールなどは、例えばＣＭＯＳ基盤のロジック回路のようなハードウェア回路、ファームウエア、ソフトウェア及び／又はマシン読取可能な媒体で具現されるソフトウェア、ファームウエア及び／又はハードウェアの任意の組合を使用してイネーブル及び動作される。例えば、多様な電気的な構造物及び方法がトランジスタ、ロジックゲート、及びＡＳＩＣのような電気回路を使用して具現できる。
【符号の説明】
【００９７】
１０４    移動局
１０２Ａ  マスターＢＳ
１０２Ｂ  スレーブＢＳ
１０２Ｃ  スレーブＢＳ
【図１】
2014531869.tif 000003
【図２】
2014531869.tif 000004
【図３】
2014531869.tif 000005
【図４】
2014531869.tif 000006
【図５】
2014531869.tif 000007
【図６】
2014531869.tif 000008
【図７】
2014531869.tif 000009
【図８】
2014531869.tif 000010
【図９】
2014531869.tif 000011
【図１０】
2014531869.tif 000012
【図１１ａ】
2014531869.tif 000013
【図１１ｂ】
2014531869.tif 000014
【図１２】
2014531869.tif 000015
【図１３】
2014531869.tif 000016
【図１４】
2014531869.tif 000017
【図１５】
2014531869.tif 000018
【図１６】
2014531869.tif 000019
【図１７】
2014531869.tif 000020
【図１８】
2014531869.tif 000021
【図１９】
2014531869.tif 000022
【図２０】
2014531869.tif 000023
【図２１】
2014531869.tif 000024
【図２２】
2014531869.tif 000025
【国際調査報告】
2014531869.tif 000026
2014531869.tif 000027